(57)【要約】移動体通信の開発においては、通信方法や表現形式のさらなる個別化を目指している。サービスを受ける加入者は、ユーザ・ユーザ信号（ＵＵＳ）補助サービスの使用により、加入者が発信する一定量の情報を別のユーザへ／から送受信することができる。情報の送受信は通話と連携し、通常の通信チャネルと並行して動作する。個別化アイテムは呼設定および通話の最中に転送される。個別化アイテムの例としては、テキストメッセージ、画像メッセージ、アニメーション、着信音が挙げられる。【選択図】図１０
2005507625.tif 000002
【特許請求の範囲】
【請求項１】
ユーザによる第１通信端末から第２通信端末へのアイテムの転送を可能にする方法であって、前記第１および第２通信端末は呼設定モードにあり、前記第２通信端末は呼設定モード中に前記転送されたアイテムを受信し、前記第２通信端末の表示部に前記転送されたアイテムについての記録を表示することを特徴とする方法。
【請求項２】
請求項１に記載の方法であって、前記転送されたアイテムを前記受信側通信端末の表示部に表示することを特徴とする方法。
【請求項３】
請求項１に記載の方法であって、前記転送されたアイテムを前記受信側通信端末で再生することを特徴とする方法。
【請求項４】
請求項２または３に記載の方法であって、前記転送されたアイテムを前記受信側通信端末の専用メモリまたは一時メモリに格納し、その後削除することを特徴とする方法。
【請求項５】
請求項１に記載の方法であって、前記転送されたアイテムを発信者番号識別（ＣＬＩ）着信音として、前記受信側通信端末の電話帳にある発信者の電話番号に割り当てることを特徴とする方法。
【請求項６】
請求項１に記載の方法であって、前記転送されたアイテムを、各発信者番号識別に接続した前記着信側通信端末に転送された発信者番号識別アイコンとして格納することを特徴とする方法。
【請求項７】
ユーザによる第１通信端末から第２通信端末へのアイテムの転送を可能にする方法であって、前記第１および第２通信端末が互いに通話モードにあるとき、前記第２通信端末は通話モード中に前記転送されたアイテムを受信し、前記転送されたアイテムについての記録を表示することを特徴とする方法。
【請求項８】
請求項７に記載の方法であって、前記転送されたアイテムを前記受信側通信端末の表示部に表示することを特徴とする方法。
【請求項９】
請求項７に記載の方法であって、前記転送されたアイテムを前記受信側通信端末で再生することを特徴とする方法。
【請求項１０】
請求項８または９に記載の方法であって、前記転送されたアイテムを前記受信側通信端末の専用メモリまたは一時メモリに格納し、その後削除することを特徴とする方法。
【請求項１１】
請求項７に記載の方法であって、前記転送されたアイテムを発信者番号識別（ＣＬＩ）着信音として前記受信側通信端末の電話帳にある発信者の電話番号に割り当てることを特徴とする方法。
【請求項１２】
請求項７に記載の方法であって、前記転送されたアイテムは、各発信者番号識別に接続した着信側の通信端末に転送される発信者番号識別アイコンとして格納されることを特徴とする方法。
【請求項１３】
請求項１または７に記載の方法であって、前記受信側通信端末の電話帳にある選択された電話番号から転送されたアイテムを受信または拒否するよう前記受信側通信端末を設定することを特徴とする方法。
【請求項１４】
請求項１または７に記載の方法であって、前記受信側通信端末の電話帳で発信者番号識別（ＣＬＩ）が有効である場合のみ、転送されたアイテムを受信するよう前記受信側通信端末を設定することを特徴とする方法。
【請求項１５】
請求項１乃至１４のいずれかに記載の方法であって、前記転送されるアイテムを、前記通信端末からの各通話について作成するか、全体的な設定として前記通信端末からのすべての通話に用いるか、あるいは前記通信端末の事前に定義されたアイテムのメニューから選択することを特徴とする方法。
【請求項１６】
請求項１乃至１５のいずれかに記載の方法であって、前記転送されたアイテムは、テキストメッセージ、着信音、画像、アニメーション、ロゴ、名刺またはその他のメッセージの転送手段であることを特徴とする方法。
【請求項１７】
発信側通信端末から転送された情報を処理する通信端末であって、プロセッサを備え、前記プロセッサは、
前記転送された情報を識別し、
前記転送された情報を検出するとすぐに前記転送された情報の特徴を分析して、前記通信端末の表示部に前記転送された情報についての記録を表示し、
前記転送された情報を一時的に格納し、
ユーザが前記転送された情報を処理するための手段を提供することを特徴とする通信端末。
【請求項１８】
請求項１７に記載の通信端末であって、前記転送された発信者情報は、個別化アイテムの電子表示と、着信側通信端末において表示、再生、格納またはその他の方法で前記アイテムを自動的に使用する手段と、を含むことを特徴とする通信端末。
【請求項１９】
請求項１７に記載の通信端末であって、前記転送された発信者情報は、個別化アイテムの電子表示と、前記ユーザの要求があるとすぐに受信した個別化アイテムを自動的に着信音データベースに格納するとともに、前記受信した着信音を前記電話帳データベースにある電話番号の通知信号として設定する手段と、を含むことを特徴とする通信端末。
【請求項２０】
請求項１７乃至１９のいずれかに記載の通信端末であって、前記転送されたアイテムは、テキストメッセージ、着信音、画像、アニメーション、ロゴ、名刺その他のメッセージの転送手段であることを特徴とする通信端末。
【発明の詳細な説明】
【技術分野】
【０００１】
本発明は、呼設定中および通話の最中に個別化アイテムを転送するための手段を備えた通信端末に関する。個別化アイテムは、着信側の人物に何かに気づかせたり、あるいは単に通話を個別化したりするのに用いられる。
【背景技術】
【０００２】
移動体通信の開発は、通信方法および表現形式のさらなる個別化を目指している。個別化の例としては、ショートメッセージサービス（ＳＭＳ）、チャット、画像メッセージ、アニメーション、着信音、通信事業者のロゴ、バイブレーション、交換可能なカバー、写真入れなどが挙げられる。しかし、ユーザはこうした機能に制約を感じており、さらなる発展が求められている。
【０００３】
ＧＳＭ０２．８７規格による仕様では、ユーザ・ユーザ信号（ＵＵＳ）補助サービスが、加入者が生成した一定量の情報を音声通話と連携して別のユーザへ／から送受信することを可能にしている。ユーザ・ユーザ情報（ＵＵＩ）チャネルは、例えば呼設定中に、通信に使用可能なスピーチ・チャネルと並行して機能する。加入者は、自身が加入しているサービスに応じて、通話の様々な局面においてユーザ・ユーザ情報を送受信することができる。本発明の目的は、異なる個別化アイテムを転送するための手段にＵＵＳを用いる通信端末または携帯電話を提案することである。
【発明の開示】
【発明が解決しようとする課題】
【０００４】
本発明が提供するのは、ある通信端末から別の通信端末へと個別化アイテムを転送するための手段を有する通信端末である。
本発明の第１の目的は、音声通話を開始する前に通信端末のユーザ間で個別化された通信手段を可能にするための方法を提供することである。
本発明の第２の目的は、通信端末間での音声通話の最中に、通信端末のユーザの間でさらに個別化された通信手段を可能にするための方法を提供することである。
本発明の第３の目的は、通信端末のユーザ間でさらに個別化された通信を可能にするための手段を有する通信端末を提供することである。
【課題を解決するための手段】
【０００５】
本発明の第１の目的は、音声通話を開始する前に通信端末のユーザ間で個別化された通信手段を可能にするための方法を提供することである。
本発明の第１の好適な実施例によれば、この目的は、呼設定中に２つの通信端末間で互いに個別化アイテムを転送するための方法により達成される。転送された個別化アイテムは呼設定モード中に第２通信端末によって受信され、第２通信端末において転送されたアイテムについての記録を表示する。
【０００６】
本発明の第２の目的は、通信端末間での音声通話の最中に、通信端末のユーザの間でさらに個別化された通信手段を可能にするための方法を提供することである。
本発明の第２の好適な実施例によれば、この目的は、通話の最中に２つの通信端末間で互いに個別化アイテムを転送するための方法により達成される。転送された個別化アイテムは通話モード中に第２通信端末によって受信され、第２通信端末において転送されたアイテムについての記録を表示する。
【０００７】
本発明の第３の目的は、通信端末のユーザ間でさらに個別化された通信を可能にするための手段を有する通信端末を提供することである。
本発明の第３の好適な実施例によれば、この目的は、発信側の通信端末から開始された情報を処理する通信端末によって達成される。この通信端末は転送された情報を識別するプロセッサを備える。プロセッサは、転送された情報を検出するとすぐに、この情報の特徴を分析し、通信端末の表示部にこの情報についての記録を表示する。プロセッサは転送された情報を一時的に格納するとともに、転送された情報を処理するための手段をユーザに提供する。
【発明を実施するための最良の形態】
【０００８】
本発明による個別化アイテムは、呼設定中および通話の最中に、本発明による通信端末において転送される。これを持ち運び型の電話、好ましくは携帯／自動車電話を参照して説明する。この電話の実施例を図１に示す。図１は携帯電話１の斜視図である。同図に示すように、電話１は正面カバー２を備える。正面カバー２は表示部アセンブリ３の保護ウィンドウを取り囲むウィンドウ枠を有する。携帯電話１はユーザインターフェースを備え、電源入／切ボタン４、スピーカ５（開孔のみを示す）、キーパッド７、バッテリ１４、表示部／ＬＣＤ３、マイクロホン６（開孔のみを示す）を有する。
【０００９】
キーパッド７はキー８の第１グループを備える。このグループには英数字キーが含まれ、ユーザはこれを用いて電話番号の入力、テキストメッセージ（ＳＭＳ）の入力、（電話番号と対応した）名前の入力を行うことができる。１２個の英数字キー８はそれぞれ０から９までの数字または「＃」、「＊」などの符号を割り当てられている。英字モードにおいては、各キーはテキスト編集に用いる文字や特別な符号と対応する。
【００１０】
キーパッド７はさらに、２種類のメニュー選択キーすなわちソフトキー９と、２つの通話処理キー１２と、ナビゲーションキー１０とを備える。ソフトキー９の機能性は、電話の状態と、メニューのナビゲーションとによって決まる。このキー９の現在の機能は、キー９の上部にある表示部３の別々のフィールドに表示される。２つの通話処理キー１２は、通話の確立や会議通話、通話の終了、着信拒否に用いられる。このキー配置は、例えばノキア６２１０（登録商標）などの携帯電話に特徴的である。
【００１１】
ナビゲーションキー１０は上下動キーである。ナビゲーションキー１０は電話の正面の表示部３と英数字キー群８とに挟まれて中央に設置される。ユーザは親指での操作が可能である。この位置は、正確な運動感覚を必要とする入力キーには最も良い設置位置である。携帯電話の扱いに精通しているユーザは、片手での操作に慣れているので、携帯電話を指先と手のひらとの間に置いて使用する。この持ち方によれば、親指で自由に情報を入力することができる。
【００１２】
図２は電話／端末の好適な実施例の最も重要な部分を示す概略図である。この部分は本発明の理解には不可欠である。マイクロホン６がユーザの発話を記録すると、アナログ信号が形成され、これがＡ／Ｄ変換器（図示せず）においてＡ／Ｄ変換される。その後、発話はオーディオ部分（デジタル信号処理装置）２０において符号化される。符号化された発話信号はプロセッサ（物理層プロセッサ）１８に転送される。
【００１３】
プロセッサ１８は、例えばＧＳＭ端末ソフトウェアを支援する。プロセッサ１８は、ＲＡＭ１７ａ、ＲＯＭ１７ｂ、ＳＩＭカード１６、表示部３、キーパッド７（図１を参照）、ならびにデータ供給、電源供給など、装置の周辺端末に対するインターフェースを形成する。プロセッサ１８は、送受信回路１９およびアンテナ２１を経由して、ネットワークとの接続を制御する。オーディオ部分２０は信号を音声復号化する。信号はプロセッサからＤ／Ａ変換器（図示せず）を経由してスピーカ５へ転送される。
【００１４】
プロセッサ１８は、バス２４を経由してＲＡＭ１７ａ、フラッシュＲＯＭ１７ｂ、ＳＩＭカード１６、表示部３、キーパッド７（図１参照）ならびにデータ供給、電源供給等と接続する。また、電話帳２３もバス２４を介してプロセッサ１８と接続する。電話帳２３はＳＩＭカード１６および／またはフラッシュＲＯＭ１７ａに格納されてもよい。
【００１５】
本発明の好適な実施例によると、ユーザ・ユーザ信号装置２２はプロセッサ１８によって制御され、例えば呼設定中に、ＧＳＭ規格に従ってスピーチ・チャネルと並行してユーザ・ユーザ信号チャネルでユーザ・ユーザ信号を提供する。
ＧＳＭ０２．８７規格によると、ユーザ・ユーザ信号補助サービスは、加入者が生成した一定量の情報を音声通話と連携して別のユーザへ／から送受信することを可能にする。この情報はネットワークを介して、ユーザに意識させずに（すなわちコンテンツの修正をすることなく）伝達される。通常、ネットワークはこの情報を解釈したり、この情報によって動作したりしてはならない。
【００１６】
加入者は、通話のさまざまな局面において、加入しているサービスに応じてユーザ・ユーザ情報を送受信することができる。
ＧＳＭ規格によるこうしたサービスによって、ユーザ・ユーザ情報を通話の開始および終了の際に送受信することが可能となる。ユーザ・ユーザ情報は通話制御メッセージに埋め込まれる。通話の確立時にユーザ・ユーザ情報を挿入することによって、間接的にサービスを開始させることが可能である。あるいは、適切な手順を踏んで直接的に開始させることもできる。
【００１７】
加入者が、接続が確立する以前に相手が着信を通知されている旨の表示を受信した後で、ユーザ・ユーザ情報の送受信が行われてもよい。相手の着信承認よりも前に加入者が送信するユーザ・ユーザ情報は、通話の確立後に相手に届けられるネットワークオプションであってもよい。
ユーザ・ユーザ情報は接続が確立している間のみ送受信可能である。
【００１８】
ユーザ・ユーザ情報サービスでは、１メッセージにつき最長１２８オクテットのユーザ・ユーザ情報の伝達が可能である。
ユーザ・ユーザ信号補助サービスは、両加入者がともにＧＳＭ  ＰＬＭＮ／ＩＳＤＮ加入者である場合、あるいは非ＩＳＤＮネットワークがユーザ・ユーザ情報の送信手段を提供する場合のみ実施可能である。
【００１９】
１メッセージにつき最長３２オクテットのユーザ・ユーザ情報の送信のみを支援するネットワークもある。相互動作の場合には、１メッセージにつき３２オクテット以上のユーザ・ユーザ情報は最初の３２オクテットだけが転送される。加入者には、ユーザ・ユーザ情報の制限については通知されない。
ＧＳＭネットワークは、間接的に要求されるユーザ・ユーザ信号サービスを３２オクテットで支援してもよい。
【００２０】
転送を行う加入者が当該のユーザ・ユーザ信号サービスに加入している場合に限りユーザ・ユーザ信号要求およびユーザ・ユーザ情報の転送を可能にするネットワークオプションは支援されない。話中時再呼び出し補助サービスは、原則として当初の呼設定情報をすべて保持し、この情報を話中時再呼び出し補助サービスに再利用する。このサービスは、ユーザ・ユーザ信号補助サービスに対しても有効である。したがって、当初の呼設定に含まれるユーザ・ユーザ情報はネットワークに格納され、話中時再呼び出し補助サービス通話に再利用される。
【００２１】
これらの動作およびエラーを符号化するための作成タイプの正式な定義は、ユーザ・ユーザ信号補助サービス規格において提供される。
メッセージ構造は、ユーザ・ユーザ信号補助サービスにおいて用いられる。メッセージ構造の一般的な定義および解釈の鍵は、ＥＴＳＩ（欧州通信規格協会）ＥＮ  ３００  ４０３−１に定められている。
【００２２】
ユーザ・ユーザ情報要素は、ユーザ間での情報の伝達に用いられる。この情報はネットワークによって解釈されることはなく、トランスペアレントに受信ユーザに運ばれる。この情報は、図３に示すようにユーザ・ユーザ情報要素と称してもよい。ユーザ・ユーザ情報要素のオクテット１におけるバイト８は０である。残りの７バイトはユーザ・ユーザ情報要素識別子として用いられる。
【００２３】
オクテット２はユーザ・ユーザ内容長を定義する。オクテット３は、転送されるメッセージのプロトコルを特定するプロトコル識別子を含む。また、オクテット４、オクテット５およびそれ以降のオクテットは、送信されたユーザ情報を含むユーザ情報フィールドを定義する。
【００２４】
ユーザ情報フィールドのコンテンツには制限がない。ユーザ情報メッセージに加え、設定、通知、接続、切断、進行、解放、解放完了のメッセージにはユーザ・ユーザ情報要素が含まれる。
【００２５】
ユーザ情報の転送を処理するための本発明の好適な実施例を、図４を参照して説明する。ＳＳ７ネットワーク３３はＣＣＩＴＴ（国際電信電話諮問委員会）規格のネットワークであり、システムの個々の部分を相互接続する。ＳＳ７ネットワーク３３は、いわゆるインテリジェントネットワーク（ＩＮ）においてサービス制御ポイント（ＳＣＰ）３４に接続される。インテリジェントネットワークは遠隔通信サービスの提供に対する支払の情報を含み、ホームロケーションレジスタ（ＨＬＲ）３５はデータベースを備える。
【００２６】
データベースは、遠隔通信サービスの提供を受ける当該加入者の情報と、移動局（電話１）へのメッセージの通信経路を選択するためのＳＭＳゲートウェイおよびＳＭＳ相互動作移動体通信交換局（ＭＳＣ）３７を含む。ショートメッセージサービスセンタ（ＳＭＳＣ）３６と、ＳＭＳゲートウェイおよびＳＭＳ相互動作移動体通信交換局（ＭＳＣ）３７とは、ＳＭＳＣ３６とＳＳ７ネットワーク３３との間のＳＭＳを処理するとともに通信の経路を選択する。
【００２７】
通話は（ＵＵＳチャネルと並行して）ＳＳ７ネットワーク３３から移動局１へと送信される。その際、移動体通信交換局（ＭＳＣ）３９および基地局プロセッサ（ＢＳＣ）３８を経由する。基地局（ＢＴＳ）４０は、移動局１との電波接続を確立する。
【００２８】
本発明の通信端末の好適な実施例は、ＧＳＭネットワークとの関連において用いられる。しかし、本発明はもちろん別の通信端末ネットワークとの関連において用いてもよい。すなわち、携帯電話ネットワークや、様々な形式の無線通信端末システム、あるいはこうしたシステム／ネットワークの集合にアクセスするデュアルバンド通信端末において用いてもよい。
【００２９】
プロセッサ１８は、携帯電話のユーザインターフェースと接続し、電話の活動を監視するとともに、その活動に応じて表示部３を制御する。
プロセッサ１８は状態変化イベントの発生を検出し、電話および表示テキストの状態を変化させる。メニュー選択キー９を含むキーパッド７を操作して、ユーザが状態変化イベントを発生させることも可能である。こうしたイベントは、エントリイベントまたはユーザイベントと呼ばれる。一方、通信端末と通信を行うネットワークが状態変化イベントを発生させてもよい。こうしたイベントやユーザの制御範囲を超えたイベントを、非ユーザイベントと称す。非ユーザイベントには、呼設定中の状態変化、バッテリ電圧の変化、アンテナ状態の変化、ＳＭＳ受信メッセージ等が含まれる。
【００３０】
通信端末における個別化アイテムの処理機能は基本的にメニュー構造に含まれている。したがって、メニュー構造との関連において説明することができる。各実施例は通信端末が待機モードにあるところから開始する。待機モードとは、通信端末の電源が入っており、どのような操作にも対応できる状態のことを指す。
【００３１】
待機モード表示は、ソフトキー９をいくつ用いるかによって実施例ごとに異なる。ここで扱う実施例においては、通信端末は２つのソフトキーを有するが、この通信端末は、１つ、３つあるいはそれ以上のソフトキーを有していてもよい。また、各キーが本発明による個別化アイテムの処理機能を備えることは言うまでもない。図１３に、異なる数のソフトキーを備える通信端末の待機モード表示を示す。ソフトキーの数が異なる別の通信端末の表示部（図示せず）も、本発明の理念に沿うよう変化する。
【００３２】
図５ａ乃至１２を参照して、本発明の別の実施例を説明する。図５ａ乃至１２は、個別化アイテムの処理機能を備えた通信端末の表示部を示す図およびフローチャートである。まず、本発明の操作上の設定を説明し、続いて操作について述べる。
【００３３】
個別化アイテム機能の操作上の設定は、すべての通話およびすべての異なる操作モードに全般的に適用することもできるが、別の操作モードを選択することもできる。操作モードはプロファイルとも称され、多くの設定が存在する。例えば、通知方法、着信音の種類、着信音やメッセージ通知音の大きさなどがこれにあたり、環境や好みに合うように調節が可能である。
【００３４】
例えば、通信端末を使用するとき、夕食の席では普段の通知音は避けバイブレーションによる通知のみに設定する。会議に出席しているときには通知音を鳴らしてもよい。また、移動中には通信端末にヘッドセットを接続し、周囲の騒音が大きいときにはラウドスピーカの音量を最大に設定する。モードすなわちプロファイルを選択することにより、こうした特徴はどれも容易に変更することができる。
【００３５】
図５ａに示すのは、通信端末すなわち電話１の待機表示５０である。表示５０は信号の強度５３およびバッテリ残量５２を示す２本のバーを含む。さらに、時刻表示５４、電話１が現在接続している通信事業者またはネットワークの識別表示５５、２つのヘッダ５１がある。ヘッダ５１は、２つのソフトキー９の現在の機能（メニュー：メニュー構造へアクセス、名前：電話帳へアクセス）を表す。
【００３６】
待機モードのとき、ユーザは左のソフトキー９（図５ａ参照）「メニュー」を押すことによって機能を選択できる。ナビゲーションキー１０を用いて、表示部３が「設定」を表示するまでスクロールダウンする。表示部はヘッダ５９を含む。ヘッダ５９は表示部のモードを表示し（「設定」）、右上隅のメニューレベル表示５８と画像（図示せず）は表示メニューの機能を説明する画像等を表示する。メニューレベル表示５８は現在表示されているメニューに特有の番号を表示する。この番号を用いれば、ナビゲーションキー１０でスクロールダウンしなくても、目的のメニューに直接移行することができる。
【００３７】
画面５６はさらに、右側部分に表示線５７を含む。表示線５７は一部が曲線となっており、現在のメニューがこのメニューレベルのいくつかのメニューのうちの１つであることを示す。曲線部の位置はメニューレベル表示５８の最終桁に対応する。
【００３８】
画面５６に「設定」が表示されているとき、左側のソフトキー９「選択」を押すと、設定機能が起動し、設定の第１サブメニューを表示する（段階２０１）。一方、右側のソフトキー９「終了」を押すと、通信端末は待機モード（待機モード表示５０）に戻る（段階２９９）。これを図５ａおよび５ｂに示す。ナビゲーションキー１０を用いてスクロールダウンをすることにより、画面には様々な設定のためのサブメニューが表示される。これらのサブメニューのうちの１つが画面６１であり、ヘッダ６０「個別化アイテムの設定」を表示する。
【００３９】
左側のソフトキー９「選択」を押すことにより、画面６１に「個別化アイテムの設定」が表示されると、個別化アイテムの機能設定が起動する（段階２０２）。画面６２はヘッダ６３を表示する。ヘッダ６３は第１の機能「個別化アイテムを送信する」を表す。この設定は、左のソフトキー９「選択」を押すことによって変更可能である（段階２０３）。利用可能なオプションの第１設定を画面６４に示す。
【００４０】
図示するように、利用可能なオプションは、「入」６５、「切」６６、「先に問い合わせる」６７である。これらは呼設定ごとに個別化アイテムを標準として送信する機能である。左のソフトキー９「選択」を押した時にどのオプションが実行されるのかを示すために、オプションのうち１つは反転表示される。ナビゲーションキー１０をスクロールおよび／または左のソフトキー９を押すことによって、いずれかのオプションを実行または選択すると、通信端末は画面６１に戻る。ほとんどのサブメニューにおいては、右のソフトキー９「戻る」を押して、通信端末をメニューレベル画面に戻すことができる。
【００４１】
ソフトキー９の代わりにナビゲーションキー１０を用いて画面６１をスクロールダウンすると、第２設定「個別化アイテム」のヘッダ６９を表示する画面６８が現れる。この設定を用いて、特定の個別化アイテムを選択する。この個別化アイテムは、「個別化アイテム」機能が有効であるときにデフォルトのアイテムとして送信される。個別化アイテムの選択に用いられる。
【００４２】
画面６８には、第２ヘッダ７０とともに、個別化アイテムのタイプと選択されたアイテムの名前とが表示される。この設定は左のソフトキー「選択」を押すことによって変更可能である（段階２０４）。第２設定に利用可能な個別化アイテムのタイプを画面７１に示す。画面７１に表示される利用可能な個別化アイテムのタイプは、「テキスト」７２、「画像」７３、「アニメーション」７４、「着信音」７５である。これらの機能のうち１つを選択することにより、選択された個別化アイテムは各通話の標準設定となる。
【００４３】
画面７１の第１のタイプは「テキスト」７２である。これは、左のソフトキー９「選択」を押すことによって実行される。ナビゲーションキー１０を押し上げ／下げることにより、他に可能なタイプすなわち「画像」７３、「アニメーション」７４および「着信音」７５が「テキスト」７２に代わって反転表示され、実行可能になる。
【００４４】
第１のタイプ「テキスト」７２を選択すなわち実行すると、画面１１４は、デフォルトの個別化アイテムとして選択可能なテキストオプションのリストを表示する。左側のソフトキー９「オプション」を押すことにより、画面１３４（図６参照）は、個別化アイテムの処理に利用可能ないくつかのオプション（「選択」１３５、「一覧」１３６、「編集」１３７、「削除」１３８）を表示する。これらのオプションは当然他のオプションであってもよい。オプションはどれも左のソフトキー９「選択」を押すことによって選択することができる。第１オプション１３５「選択」を選択すると、通信端末は画面７１に戻り、選択された個別化アイテムがデフォルトによって使用される。
【００４５】
第２オプション「表示」１３６を選択した場合には、全テキストアイテムが新しい画面に表示される（図示せず）。右のソフトキー９「戻る」を押すことによってこの画面を離れ、通信端末は画面１１４に戻る。
【００４６】
第３オプション「編集」１３７を選択すると、全テキストアイテムが新しい画面に表示される（図示せず）。このとき、テキストの編集が可能である。ナビゲーションキー１０は前後の画面への移動に用いられ、右のソフトキー９「消去」はテキストの削除に、キーパッド７は新しいテキストの入力に、左のソフトキー９「完了」は編集を完了して画面１１４に戻るのに用いられる。
【００４７】
第４オプション「消去」１３８を選択すると、テキストアイテムは削除される。ただし事前に確認画面（図示せず）が表示され、ユーザに削除の確認を行う。確認は左のソフトキー９「ＯＫ」を押すことによって実行され、通信端末は画面１１４に戻る。右のソフトキー「戻る」が選択されると、通信端末は画面１３４に戻る。
【００４８】
ナビゲーションキー１０を用いて画面７１をスクロールダウンし、左のソフトキー９「選択」を押すことにより、第２タイプの個別化アイテム「画像」７３が選択される。現れた画面１２４には異なる画像１２５乃至１２８のリストが表示される。これを選択してデフォルトの個別化アイテムとする。画像アイテムは、図６の画面１３４について前述したテキストアイテムと同様の方法で処理することができる。
【００４９】
ナビゲーションキー１０を用いて画面７１をさらにスクロールダウンし、左のソフトキー９「選択」を押すことにより、第３タイプの個別化アイテム「アニメーション」７４が選択される。画面１１９には異なるアニメーション１２０乃至１２３のリストが表示され、これを選択してデフォルトの個別化アイテムとする。アニメーションアイテムは、図６の画面１３４について前述したテキストアイテムと同様の方法で処理することができる。
【００５０】
ナビゲーションキー１０を用いて画面７１をさらにスクロールダウンし、左のソフトキー９「選択」を押すことにより、第４タイプの個別化アイテム「着信音」７５が選択される。画面１２９には異なる着信音１３０乃至１３３のリストが表示され、これを選択してデフォルトの個別化アイテムとする。着信音は、図６の画面１３４について前述したテキストアイテムと同様の方法で処理することができる。
【００５１】
画面６１からナビゲーションキー１０を用いてスクロールダウンを続けると、画面６８の後に別の画面７６が現れる。画面７６はヘッダ７７とともに第３の設定「送信」機能を表示する。この設定は、送信する個別化アイテムの受信者を選択するために用いられる。画面７６には、どの受信者が個別化アイテムの送信を受けるのかを示す第２ヘッダ７８が表示される。この設定は左のソフトキー９「選択」を押すことによって変更できる（段階２０５）。
【００５２】
続いて、画面７９に利用可能な受信者グループが表示され、第３設定を行う。画面７９には、いくつかの受信者グループ８１乃至８４が示される。各グループの先頭にはボックス８１があり、ボックスにチェックマークを付されたグループが個別化アイテムのデフォルト受信者に含まれることを表す。チェックマークを付すには、左のソフトキー９を押す。ボックス８１にチェックマークが付いておらず反転表示されているとき、左のソフトキーのヘッダ５１は「マークする」を表示する。また、既にマークが付されているときには、「マーク解除」を表示する。
【００５３】
右のソフトキー９「戻る」を押すことにより、受信者グループの選択が実行される。このとき、確認画面（図示せず）が表示され、変更を左のソフトキー９「はい」で承認する。その後、通信端末は画面７６に戻る。一方、右のソフトキー９「いいえ」を押して変更を拒否する場合には、通信端末は画面７９に戻り、さらに変更を行う。
【００５４】
ナビゲーションキー１０を用いて画面６８からさらにスクロールダウンを続けると、画面７６の後に別の画面８５が現れる。画面８５は第４設定「作成者」のヘッダ８６を表示する。この設定は新しい個別化アイテムの作成に用いられる。作成者は左のソフトキー９「選択」を押し（段階２０６）、画面８７が作成することのできる利用可能な個別化アイテム８８乃至９１のリストを表示する。
【００５５】
各個別化アイテムのタイプは、ナビゲーションキー１０によるスクロールダウンおよび／または左のソフトキー９「選択」を押すことによって新しく作られる。これにより、通信端末は編集メニュー（図示せず）に切り替わり、異なるタイプの個別化アイテム８８乃至９１が作成される。新しい個別化アイテム８８乃至９１は、作成の後保存され、通信端末は左のソフトキー９を押すことによって画面８５に戻る。新しい個別化アイテムは、画面６８に加えられることによりデフォルトのアイテムとして用いられる。
【００５６】
図５ａに示すのは、別の設定画面９２である。ここに図示される設定は、可能な設定の例に過ぎず、他にも様々な設定が可能である。
前述したように、個別化アイテム機能の操作上の設定は、操作上のモードまたはプロファイルにあわせて調節することができる。図５ｂに示すのは、これを説明する画面である。待機モード（画面５０）において、ユーザは前述したように左のソフトキー９「メニュー」（図５ａを参照）を押すことによって機能を選択し、ナビゲーションキー１０を用いて表示部３が「プロファイル」を表示するまでスクロールダウンする。図５ｂの画面１７０にこれを示す。
【００５７】
この画面は、画面のモード（「プロファイル」）を表すヘッダと、右上隅にメニューレベル表示と、画面のメニューの機能を説明する絵などを表示する画像（図示せず）と、画面の右部分に表示線とを含む。表示線は一部が曲線になっており、現在のメニューがこのメニューレベルのいくつかのメニューのうちの１つであることを示す。
【００５８】
画面１７０に「プロファイル」が表示されているとき、左のソフトキー９「選択」を押すことによって、プロファイルの設定機能が起動する（段階２１０）。画面１７２はプロファイル１７３乃至１７６のリストを表示する。画面１７２に示すよりも数多くのプロファイルがあってもよい。各プロファイル１７３乃至１７６は、ナビゲーションキー１０でスクロールダウンし、左のソフトキー９「選択」を押すと、反転表示されているプロファイルを選択する。
【００５９】
プロファイルが選択されると画面１７７が現れる（段階２１１）。画面１７７は、選択したプロファイルをどのように処理するかのオプション１７８乃至１８０を表示する。第１オプション１７８「起動」は、選択したプロファイルを実行するのに用いられる。第１オプションは左のソフトキー９を押すことによって実行される。その後、通信端末は待機モードの画面５０に戻り、選択されたプロファイルの名前を表示するヘッダ（図示せず）が現れる。
【００６０】
第２オプション１７９「個別化」は、プロファイルの設定に用いられる。これは例えば着信音、着信音量、プロファイルの名前、バイブレーション、スクリーンセーバなどである。左のソフトキー９「選択」を押す（段階２１２）ことにより、第２オプション１７９が反転表示されると、プロファイルの第１設定を表示した画面（図示せず）が現れる。プロファイルの別の設定を選択せずにナビゲーションキー１０でスクロールダウンを続けると、画面１８１「個別化アイテムの設定」が現れる。個別化アイテムの設定は、左のソフトキー９「選択」を押すことによって変更可能である（段階２０１）。このことは、操作上の設定全体との関連において前述した。
【００６１】
また、一定数の電話帳２３に対して、個別化アイテムをデフォルトとして受信または拒否するよう設定することも可能である。また、発信者番号識別（ＣＬＩ）が有効であれば個別化アイテムを受信するという設定も可能である。
【００６２】
次に、呼設定中、通話中、着信との関連において、本発明の概念を説明する。図６乃至８およびフローチャート１０乃至１２を参照する。
待機モード（図５ａの画面５０）から開始して、ユーザは電話をかけたい相手の電話番号を数字キー８を用いて入力する。入力した電話番号１０１（段階２２０）の一例を画面１０１に示す（図６参照）。番号の１桁が入力されると、左のソフトキー９の現在の機能を表すヘッダ５１は「選択」から「オプション」に変化する。また、右のソフトキー９の現在の機能を表すヘッダ５１は「名前」から「消去」に変化する。
【００６３】
電話番号１０１を入力した後、ユーザは左の通話処理キー１２を押して電話をかける。右の通話処理キー１２を一度押すと、入力した数字をすべて削除して待機モードに戻る。右のソフトキー９「削除」を用いる場合には、一度押す度に数字を１つ削除する。あるいは、左のソフトキー９「オプション」を押すと画面１０２が表示され、入力された電話番号１０１をどのように使用するかのオプション１０３乃至１０６が現れる。画面１０２には図示するよりも多くのオプションがあるが、わかりやすくするために数項目しか図示しない。
【００６４】
ナビゲーションキー１０を用いてスクロールダウンすることにより、第４オプション１０６「個別化アイテムを含む」が反転表示され、左のソフトキー９「選択」を押すことによって選択される（段階２２１）。画面１０７は個別化アイテム１０８乃至１１３を含む。第１アイテム１０８「デフォルト」は、そのプロファイルのデフォルトとして選択されたアイテムか、あるいは、すべてのモードすなわちプロファイルに共通の個別化アイテムとして選択されたアイテムである。このデフォルトの個別化アイテムがどうやって選択されるのかについては、操作上の設定に関連して前述した。
【００６５】
第１アイテム１０８「デフォルト」は左のソフトキー９「選択」を押すことにより選択される（段階２２２）。通信端末は画面１０２に戻る。メニューの「発信」が反転表示されるまでスクロールダウン／アップし、左のソフトキー９「選択」を押すか左の通話処理キー１２を押すことによって、呼設定処理が開始される。通信端末はネットワークがユーザ・ユーザ信号を支援することを確認し（段階２２４）、ユーザ・ユーザ信号要素のデータフィールドに個別化アイテムを加えるとともに、ユーザ・ユーザ信号要素をユーザ・ユーザ信号チャネルを経由して送信する（段階２２５）。ユーザ・ユーザ信号要素が受信者に転送され、呼設定が終了すると、通話が確立する（段階２２６）。
【００６６】
デフォルトの個別化アイテムではないアイテムが望ましい場合には、ナビゲーションキー１０を用いて別のアイテム１０９乃至１１３のいずれかが反転表示されるまでスクロールダウンし、左のソフトキー９を押して好適なアイテムを選択する（段階２２３）。新しい個別化アイテムが望ましい場合には、アイテム１０９「作成者」を選択する。画面８７に似た画面が現れ、新しい個別化アイテムが作成される。新しい個別化アイテムがどうやって作成されるのかについては、操作上の設定における作成者に関連して前述した。
【００６７】
新しい個別化アイテムが作成されると、通信端末は画面１０２に戻る。デフォルトのアイテム１０８について前述したように、呼設定処理が開始される。テキストアイテム１１０が必要なときには、画面１０７においてアイテム１１０「テキスト」を選択すると、画面１１４が表示される。画面１１４は、異なる標準テキストアイテムまたは事前作成テキストアイテム１１５乃至１１８のリストを含む。ナビゲーションキー１０を用いてリストをさらにスクロールダウンすると、さらなるテキストアイテムが表示される。
【００６８】
好適なテキストアイテム１１０はナビゲーションキー１０で反転表示され、左のソフトキー９「オプション」を押すことによって選択される。選択の後、画面１３４は、選択されたテキストアイテムをどのように処理するのかについて、いくつかのオプション（「選択」１３５、「表示」１３６、「編集」１３７、「消去」１３８）を表示する。
【００６９】
これらのオプションの機能については、図５ａおよび５ｂを参照して操作上の設定に関連して前述した。テキストアイテムが処理および選択された後、通信端末は画面１０２に戻る。呼設定処理は、前述したように、デフォルトのアイテム１０８と作成者アイテム１０９とに対して開始される。「アニメーション」アイテム１１１、「画像」アイテム１１２、「着信音」アイテム１１３のうちいずれかが選択されると、「テキスト」アイテム１１０の場合と同様の処理が繰り返される。
【００７０】
設定を説明する部分によると、個別化機能は少なくとも例えば「入」「切」「先に問い合わせる」などの操作を有する。「切」設定のとき、通信端末は個別化アイテムの送受信を行わない。第１通信端末が個別化アイテムを送信したにもかかわらず第２通信端末が受信しなかった場合には、第１通信端末は、第２通信端末が個別化アイテムを受信しなかったことを通知される。
【００７１】
「先に問い合わせる」設定の通信端末は着信を検出し（段階２５０）、個別化アイテムが通話に添付されているときには、受信端末が個別化アイテム機能を利用できるか否かを確認する（段階２５１）。機能が利用可能であれば、通知記録１４９「個別化アイテムが添付されています」が画面１４８に表示される（段階２５２）。一方、個別化アイテム機能が利用できない場合には、着信は通常の方法で通知される。通知記録１４９は、個別化アイテムが添付されており、所望により表示可能であることを着信側のユーザに知らせる。
【００７２】
左のソフトキー９「オプション」を押すことにより、異なるオプション１５１乃至１５３が画面１５０に表示される。第１オプション１５１「応答」は、個別化アイテムの受信および実行（段階２５４）とともに、通話の確立（段階２５５）を意味する。これは、左のソフトキー９を押すことによって実行される。実行された個別化アイテム１４１、１４５、１４７は、画面１４０、１４４、１４６に表示される。画像１４０はヘッダ１４３を含む。ヘッダ１４３は、発信者番号識別（ＣＬＩ）が有効な場合には、発信者を表示する。電話のアイコン１４２は端末が通話モードにあることを示す。
【００７３】
画面１５０のとき、左のソフトキー９の代わりに右のソフトキー９「戻る」を押すと、通信端末は画面１５４に切り替わる。画面１５４は右のソフトキー９に対して画面１４８とは別のヘッダ表示５１を有する。第２オプション１５２「拒否」が選択されると、呼設定が終了する（段階２５９）。第３オプション１５３「アイテム拒否」が選択されると、着信を受信し通話が確立する（段階２５５）が、個別化アイテムは表示されない。通話が終了した（段階２５７）後、受信者は、受信した個別化アイテム（段階２６０）を専用メモリに格納することができる（段階２６１）。その後、通信端末は待機モードに戻る（段階２６２）。
【００７４】
代替的な実施例においては、個別化アイテムの受信者は、転送された個別化アイテムを受信し通話に応答する前に、個別化アイテムを調べることができる。
「入」設定の通信端末が着信を検知する（段階２５０）。この通話に個別化アイテムが添付されているとき、通信端末は、受信側の端末が利用可能な個別化アイテム機能を有するか否かを確認する（段階２５１）。機能が利用可能であれば、通信端末は個別化アイテムを実行する（段階２５４）。利用できない場合には、着信が通常の方法で通知される。実行される個別化アイテム１４１、１４５および１４７の例を、画面１４０、１４４および１４６に示す。
【００７５】
通信端末のユーザは、通常のオプション「応答」１５１を有する（段階２５５）。あるいは、通話を「拒否」１５２する（段階２５６）。画面１５６にこれを示す。画面１５６には左のソフトキー９「選択」を押すことによってアクセスできる。一方、画面１５６のときに右のソフトキー９「戻る」を押すと、通信端末は画面１５５に切り替わる。画面１５５は、右のソフトキー９に関して画面１４０、１４４、１４６とは別のヘッダ５１を有する。通話が終了すると（段階２５７）、受信者は、受信した個別化アイテムを（段階２６０）専用メモリに格納する（段階２６１）。その後、通信端末は待機モードに戻る（段階２６２）。
【００７６】
図８に示すのは、通話が確立および進行中のときの画面１５７である。この画面はヘッダ１５９を含む。ヘッダ１５９はどの通話が進行中であるかを示し、電話のアイコン１５８は端末が通話モードにあることを示す。右のソフトキー９「保留」は、通話の保留に用いられる。左のソフトキー「オプション」を押すと画面１６０が現れ、異なるオプション１６１乃至１６４のリストが表示される。ナビゲーションキー１０を用いてリストをスクロールダウンすると、さらに多くのオプションを利用することができる。ここではわかりやすくするために、画面１５９には一定数のオプションのみを示す。
【００７７】
リストをスクロールダウンすることにより、「個別化アイテムを送信」オプション１６４が反転表示される。左のソフトキー９「選択」を押して「個別化アイテムを送信」オプション１６４を選択すると（段階２７１）、画面１６５が現れる（段階２７２）。画面１６５には異なる個別化アイテムのタイプのリストが表示される。もちろん、画面１０７に示すようなデフォルトや作成者のオプションがあってもよい（図６参照）。
【００７８】
ナビゲーションキー１０を用いてリストをスクロールアップ／ダウンすることにより、好適なオプションが反転表示される。また、左のソフトキー９「選択」を押すことにより、好適なオプションが選択される（段階２７３（デフォルトの個別化アイテム）、段階２７４（新しい個別化アイテム作成）、段階２７５（標準／事前作成個別化アイテムを選択））。通信端末はユーザ・ユーザ信号（ＵＵＳ）を支援するネットワークを確認し（段階２７６）、ユーザ・ユーザ信号要素のデータフィールドに個別化アイテムを追加するとともに、ユーザ・ユーザ信号チャネルを経由してユーザ・ユーザ信号要素を送信する（段階２７７）。
【００７９】
ユーザ・ユーザ信号要素が受信者に転送され、確認通知が画面（図示せず）に表示されると、通信端末は画面１５７に戻る（段階２７８）。ネットワークがユーザ・ユーザ信号を支援しない場合には、通知が画面に表示され（図示せず）、音声通話が継続される（段階２７８）。
【００８０】
受信した個別化アイテムは、前述したように、受信端末の専用メモリに保存される。例えば、個別化アイテムとして受信した着信音は、発信者番号識別（ＣＬＩ）着信音として、受信側の通信端末の電話帳にある発信者の電話番号に割り当てられる。別の例は、個別化アイテムとして受信された画像あるいはアイコンは、発信者番号識別（ＣＬＩ）アイコンとして受信側の通信端末の電話帳にある発信者の電話番号に割り当てられる。
【００８１】
以上に説明したテキストメッセージ、画像、アニメーション、呼び出し音の例以外にも、通信端末の個別化を進め、通話と並行して送信可能なアイテムは、個別化アイテムとして記録されなければならない。アイテムの例としては他にロゴや名刺が挙げられる。
【００８２】
本発明は上記の例や本発明の実施例を示す図面に制限されず、特許請求の範囲内で変形が可能である。例えば、説明した通信端末が有するソフトキーの数は２つのみであるが、１つ、３つあるいはそれ以上のソフトキーを備えた通信端末が本発明による個別化アイテムの処理機能を有してもよいことは明らかである。通信端末の画面は、本発明の概念に沿うように変更される。
【図面の簡単な説明】
【００８３】
【図１】通信端末の周知の実施例を示す斜視図。
【図２】携帯電話ネットワークを利用した通信に用いられる電話の不可欠な部分を示す概略図。
【図３】本発明の好適な実施例に従って処理される通話相手への転送情報のユーザ・ユーザ信号要素の例を示す図。
【図４】本発明を実行するネットワークの基本要素を示す図。
【図５ａ】本発明による個別化アイテムの処理機能を有する通信端末の表示部の異なるウィンドウを示す図。
【図５ｂ】本発明による個別化アイテムの処理機能を有する通信端末の表示部の異なるウィンドウを示す図。
【図６】本発明による個別化アイテムの処理機能を有する通信端末の表示部の異なるウィンドウを示す図。
【図７】本発明による個別化アイテムの処理機能を有する通信端末の表示部の異なるウィンドウを示す図。
【図８】本発明による個別化アイテムの処理機能を有する通信端末の表示部の異なるウィンドウを示す図。
【図９ａ】本発明による個別化アイテム機能の操作上の設定のフローチャート。
【図９ｂ】本発明による個別化アイテム機能の操作上の設定のフローチャート。
【図１０】本発明による個別化アイテム機能を用いた呼設定処理のフローチャート。
【図１１】本発明による個別化アイテム機能を用いた着信処理のフローチャート。
【図１２】本発明による通話中の個別化アイテムの送信のフローチャート。
【図１３】異なる数のソフトキーを有する通信端末の待機モード画面を示す図。
【図１】
2005507625.tif 000003
【図２】
2005507625.tif 000004
【図３】
2005507625.tif 000005
【図４】
2005507625.tif 000006
【図５ａ】
2005507625.tif 000007
【図５ｂ】
2005507625.tif 000008
【図６】
2005507625.tif 000009
【図７】
2005507625.tif 000010
【図８】
2005507625.tif 000011
【図９ａ】
2005507625.tif 000012
【図９ｂ】
2005507625.tif 000013
【図１０】
2005507625.tif 000014
【図１１】
2005507625.tif 000015
【図１２】
2005507625.tif 000016
【図１３】
2005507625.tif 000017
【国際公開パンフレット】
2005507625.tif 000018
2005507625.tif 000019
2005507625.tif 000020
2005507625.tif 000021
2005507625.tif 000022
2005507625.tif 000023
2005507625.tif 000024
2005507625.tif 000025
2005507625.tif 000026
2005507625.tif 000027
2005507625.tif 000028
2005507625.tif 000029
2005507625.tif 000030
2005507625.tif 000031
2005507625.tif 000032
2005507625.tif 000033
2005507625.tif 000034
2005507625.tif 000035
2005507625.tif 000036
2005507625.tif 000037
2005507625.tif 000038
2005507625.tif 000039
2005507625.tif 000040
2005507625.tif 000041
2005507625.tif 000042
2005507625.tif 000043
2005507625.tif 000044
2005507625.tif 000045
2005507625.tif 000046
2005507625.tif 000047
2005507625.tif 000048
2005507625.tif 000049
2005507625.tif 000050
2005507625.tif 000051
2005507625.tif 000052
2005507625.tif 000053
【手続補正書】
【提出日】平成15年9月29日(2003.9.29)
【手続補正１】
【補正対象書類名】明細書
【補正対象項目名】全文
【補正方法】変更
【補正の内容】
【発明の詳細な説明】
【技術分野】
【０００１】
本発明は通信端末に関する。この通信端末は、呼設定中および通話中に個別化アイテムの転送を処理するためのプロセッサとアプリケーションとを有する。個別化アイテムは、着信側の人物に何かに気づかせたり、あるいは単に通話を個別化したりするのに用いられる。
本発明はさらに、ユーザによる第１通信端末から第２通信端末へのアイテムの転送を可能にするための方法に関する。第１および第２通信端末がともに呼設定モードあるいは通話モードにあるとき、第１通信端末は第２通信端末へアイテムを送信する。
【背景技術】
【０００２】
移動体通信の開発は、通信方法および表現形式のさらなる個別化を目指している。個別化の例としては、ショートメッセージサービス（ＳＭＳ）、チャット、画像メッセージ、アニメーション、着信音、通信事業者のロゴ、バイブレーション、交換可能なカバー、写真入れなどが挙げられる。しかし、ユーザはこうした機能に制約を感じており、さらなる発展が求められている。
【０００３】
ＧＳＭ０２．８７規格による仕様では、ユーザ・ユーザ信号（ＵＵＳ）補助サービスが、加入者が生成した一定量の情報を音声通話と連携して別のユーザへ／から送受信することを可能にしている。ユーザ・ユーザ情報（ＵＵＩ）チャネルは、例えば呼設定中に、通信に使用可能なスピーチ・チャネルと並行して機能する。加入者は、自身が加入しているサービスに応じて、通話の様々な局面においてユーザ・ユーザ情報を送受信することができる。
【０００４】
特許文献１には、移動体電話通信システムおよび移動体データ通信システムにおいて、呼設定中に第１通信端末のアプリケーションが第２通信端末のアプリケーションへデータを送信できるようにするための方法が記載されている。データとは例えば、着信音や独自のロゴなどを指す。ユーザ・ユーザ信号は、こうしたデータを呼設定中に第２通信端末のアプリケーションに転送するためのキャリア波として用いられる。
【特許文献１】
ＷＯ９９／２５１０７
【発明の開示】
【発明が解決しようとする課題】
【０００５】
本発明が提供するのは、ある通信端末から別の通信端末へと個別化アイテムを転送するための手段を有する通信端末である。
本発明の第１の目的は、音声通話を開始する前に通信端末のユーザ間で個別化された通信手段を可能にするための方法を提供することである。
【０００６】
本発明の第２の目的は、通信端末間での音声通話の最中に、通信端末のユーザの間でさらに個別化された通信手段を可能にするための方法を提供することである。
本発明の第３の目的は、通信端末のユーザ間でさらに個別化された通信を可能にするための手段を有する通信端末を提供することである。
【課題を解決するための手段】
【０００７】
ユーザは、呼設定中および／または通話の最中に受信した情報を保存するか否かを、その情報を調べる前には決定することができないことが多い。すなわち、例えば着信音に関しては、受信した着信音を聞くまでは、ユーザはその着信音を保存する必要があるか否かを往々にして判断できない。本発明の第１の目的は、この問題を克服あるいは少なくとも軽減することである。
【０００８】
この目的を達成するのは、発信側の通信端末から転送された情報を処理することのできる通信端末である。この通信端末は、プロセッサと、このプロセッサで動作し着信情報を処理するアプリケーションとを備える。アプリケーションは受信した個別化情報を一時的に格納する。ユーザは、好ましくは通話の終了後に、この情報を専用メモリに保存する機会を与えられる。
【０００９】
特許文献１に記載の通信端末は、受信した情報を専用メモリに保存する前にユーザがこの情報を調べる／試すことのできる手段を備えていない。したがって、ユーザは着信情報の処理に関して十分な制御を行うことができなかった。
【００１０】
本発明によれば、ユーザは一時的に保存した情報を調べる／試すことができ、その後その情報を破棄または保存することが可能である。また、調べる必要がなければ専用メモリに保存することができる。これにより、さらに多くのユーザが受信した情報を利用できる。
ユーザは、受信した情報を実行するか否かを端末が先に問い合わせる設定を選択することもできる。これは特に、個別化アイテムを受信するユーザが、特定の状況下でアイテムを拒否するため、あるいは特定のタイプのアイテムを拒否するために、受信したアイテムについて１つ１つ決定したい場合に都合がよい。
【００１１】
アプリケーションは、ユーザにその情報を実行するか否かを問い合わせる前に、受信した情報が端末において実行可能か否かを先に確認するのが望ましい。端末は、情報を実行するか否かをユーザに問い合わせる一方で、アイテムについての記録を表示する。この記録は、例えば受信したアイテムのタイプをユーザが知ることができるよう、情報を説明するのが望ましい。
【００１２】
通信端末が電子電話帳を備えている場合、ユーザは、電話帳の中の選択した番号に対しては受信した情報を実行しない設定を選択してもよい。あるいは、電話帳の発信者番号識別が有効の場合にのみ、受信したアイテムを実行する設定を選択してもよい。
【００１３】
本発明の第２の目的は、呼設定中あるいは通話の最中に転送される情報の送信を円滑にする通信端末を提供することである。
この目的を達成するために、本発明は、着信側の通信端末に情報を転送することのできる通信端末を提供する。この通信端末は、プロセッサと、このプロセッサで動作し送信情報の転送を行うアプリケーションとを備える。アプリケーションは、送信情報の処理に関して複数の設定を有する。この設定は、ユーザによる調整が可能である。また、少なくとも「先に問い合わせる」設定を備える。「先に問い合わせる」設定においては、ユーザは呼設定中に情報を送信するか否かを決定することができる。
【００１４】
特許文献１に記載の通信端末は、呼設定中または通話の最中の送信アイテム処理に関して、通話ごとに通信端末の動作を調整するための手段を有さない。したがって、ユーザは発信情報について十分な制御を行うことができなかった。
【００１５】
本発明によると、ユーザは呼設定中または通話の最中に端末の望ましい情報送信動作を選択できるようになる。これにより、はるかに多くのユーザが、より多くの状況下で、受信したアイテムを使用することができる。
【００１６】
ユーザは、デフォルトの情報を送信するか否かを端末が先に問い合わせる設定を選択することができる。これは、通常は個別化アイテムの送信を行うユーザが、特定の状況下では情報を送信しないよう、発信ごとに情報を送信するか否かを決定したい場合に好都合である。アプリケーションはさらに、「入」設定を備えていてもよい。「入」設定では、通話の開始に応じてデフォルトの情報が自動的に送信される。
【００１７】
選択ルーチンにおいて、ユーザは通信端末で事前に定義されたアイテムのメニューからデフォルトの情報を選択することができる。また、アプリケーションの設定には、電話帳の中の選択された電話番号あるいは電話番号群に対してデフォルトの情報を送信する設定があってもよい。ユーザは、デフォルトのアイテムを発信相手の番号に従属させることもできる。
【００１８】
ユーザは、呼設定中および／または通話の最中に受信した情報を保持するか否かを、その情報を調べる前には決定できないことが多い。例えば着信音の場合、受信した着信音を聞く前には、その着信音を保存する必要について判断することができない。したがって、本発明の第３の目的は、この問題を克服あるいは少なくとも軽減することである。
【００１９】
この目的は、ユーザによる第１通信端末から第２通信端末への情報の転送を可能にするための方法を提供することによって達成される。第１および第２通信端末は互いに呼設定モードあるいは通話モードにある。第１通信端末は第２通信端末に情報を送信する。第２通信端末は情報を受信して一時的に格納する。ユーザは、好ましくは通話の終了後に、情報を専用メモリに保存する機会を与えられる。
ユーザは一時的に保存された情報を調べ、その後破棄または保存する。また、調べる必要がなければ専用メモリに保存することができる。
【００２０】
第２通信端末の呼設定中にアイテムを処理するための設定が「先に問い合わせる」である場合、アイテム受信後の最初の段階は、端末が利用可能なアイテム機能を有することの確認である。その後ユーザは、アイテムが受信され実行可能であることを通知される。ユーザはアイテムを実行するか否かの問い合わせを受ける。
【００２１】
受信したアイテムについての記録が表示され、ユーザは通話が確立する前にアイテムを拒否または実行することができる。また、通話の終了後には、アイテムを専用メモリに保存することができる。
【００２２】
第２通信端末の呼設定中にアイテムを処理するための設定が「入」ならば、端末のアイテム機能が利用可能であることが確かめられる。このとき、利用可能であればアイテムが実行される。
【００２３】
本発明の第４の目的は、第１通信端末から第２通信端末へのアイテムの転送を円滑にするための方法を提供することである。第１および第２通信端末は互いに呼設定モードまたは通話モードにある。
【００２４】
この目的は、ユーザによる第１通信端末から第２通信端末へのアイテムの転送を可能にすることにより達成される。第１および第２通信端末は互いに呼設定モードまたは通話モードにあり、第１通信端末からの発信の段階を備える。第１通信端末は、個別化情報送信処理のための複数の設定を有する。これには「先に問い合わせる」設定が含まれる。ユーザは設定を調整することができる。第１通信端末の「先に問い合わせる」設定が有効であれば、情報を送信するか否かをユーザに問い合わせる段階が存在する。
【００２５】
ユーザは送信するアイテムを選択することができる。転送されるアイテムは、第２通信端末からのすべての発信についてデフォルトのアイテムであってもよい。あるいは、第２通信端末からの発信に対して、通信端末において事前に定義されたアイテムのメニューからユーザが選択してもよい。デフォルトのアイテムは発信する相手の番号に従属する。アイテムは、選択された電話番号または電話番号群に割り当てられ、これらの電話番号に送信される。
【発明を実施するための最良の形態】
【００２６】
本発明による個別化アイテムは、呼設定中および通話の最中に、本発明による通信端末において転送される。これを持ち運び型の電話、好ましくは携帯／自動車電話を参照して説明する。この電話の実施例を図１に示す。図１は携帯電話１の斜視図である。同図に示すように、電話１は正面カバー２を備える。正面カバー２は表示部アセンブリ３の保護ウィンドウを取り囲むウィンドウ枠を有する。携帯電話１はユーザインターフェースを備え、電源入／切ボタン４、スピーカ５（開孔のみを示す）、キーパッド７、バッテリ１４、表示部／ＬＣＤ３、マイクロホン６（開孔のみを示す）を有する。
【００２７】
キーパッド７はキー８の第１グループを備える。このグループには英数字キーが含まれ、ユーザはこれを用いて電話番号の入力、テキストメッセージ（ＳＭＳ）の入力、（電話番号と対応した）名前の入力を行うことができる。１２個の英数字キー８はそれぞれ０から９までの数字または「＃」、「＊」などの符号を割り当てられている。英字モードにおいては、各キーはテキスト編集に用いる文字や特別な符号と対応する。
【００２８】
キーパッド７はさらに、２種類のメニュー選択キーすなわちソフトキー９と、２つの通話処理キー１２と、ナビゲーションキー１０とを備える。ソフトキー９の機能性は、電話の状態と、メニューのナビゲーションとによって決まる。このキー９の現在の機能は、キー９の上部にある表示部３の別々のフィールドに表示される。２つの通話処理キー１２は、通話の確立や会議通話、通話の終了、着信拒否に用いられる。このキー配置は、例えばノキア６２１０（登録商標）などの携帯電話に特徴的である。
【００２９】
ナビゲーションキー１０は上下動キーである。ナビゲーションキー１０は電話の正面の表示部３と英数字キー群８とに挟まれて中央に設置される。ユーザは親指での操作が可能である。この位置は、正確な運動感覚を必要とする入力キーには最も良い設置位置である。携帯電話の扱いに精通しているユーザは、片手での操作に慣れているので、携帯電話を指先と手のひらとの間に置いて使用する。この持ち方によれば、親指で自由に情報を入力することができる。
【００３０】
図２は電話／端末の好適な実施例の最も重要な部分を示す概略図である。この部分は本発明の理解には不可欠である。マイクロホン６がユーザの発話を記録すると、アナログ信号が形成され、これがＡ／Ｄ変換器（図示せず）においてＡ／Ｄ変換される。その後、発話はオーディオ部分（デジタル信号処理装置）２０において符号化される。符号化された発話信号はプロセッサ（物理層プロセッサ）１８に転送される。
【００３１】
プロセッサ１８は、例えばＧＳＭ端末ソフトウェアを支援する。プロセッサ１８は、ＲＡＭ１７ａ、ＲＯＭ１７ｂ、ＳＩＭカード１６、表示部３、キーパッド７（図１を参照）、ならびにデータ供給、電源供給など、装置の周辺端末に対するインターフェースを形成する。プロセッサ１８は、送受信回路１９およびアンテナ２１を経由して、ネットワークとの接続を制御する。オーディオ部分２０は信号を音声復号化する。信号はプロセッサからＤ／Ａ変換器（図示せず）を経由してスピーカ５へ転送される。
【００３２】
プロセッサ１８は、バス２４を経由してＲＡＭ１７ａ、フラッシュＲＯＭ１７ｂ、ＳＩＭカード１６、表示部３、キーパッド７（図１参照）ならびにデータ供給、電源供給等と接続する。また、電話帳２３もバス２４を介してプロセッサ１８と接続する。電話帳２３はＳＩＭカード１６および／またはフラッシュＲＯＭ１７ａに格納されてもよい。
【００３３】
本発明の好適な実施例によると、ユーザ・ユーザ信号装置２２はプロセッサ１８によって制御され、例えば呼設定中に、ＧＳＭ規格に従ってスピーチ・チャネルと並行してユーザ・ユーザ信号チャネルでユーザ・ユーザ信号を提供する。
ＧＳＭ０２．８７規格によると、ユーザ・ユーザ信号補助サービスは、加入者が生成した一定量の情報を音声通話と連携して別のユーザへ／から送受信することを可能にする。この情報はネットワークを介して、ユーザに意識させずに（すなわちコンテンツの修正をすることなく）伝達される。通常、ネットワークはこの情報を解釈したり、この情報によって動作したりしてはならない。
【００３４】
加入者は、通話のさまざまな局面において、加入しているサービスに応じてユーザ・ユーザ情報を送受信することができる。
ＧＳＭ規格によるこうしたサービスによって、ユーザ・ユーザ情報を通話の開始および終了の際に送受信することが可能となる。ユーザ・ユーザ情報は通話制御メッセージに埋め込まれる。通話の確立時にユーザ・ユーザ情報を挿入することによって、間接的にサービスを開始させることが可能である。あるいは、適切な手順を踏んで直接的に開始させることもできる。
【００３５】
加入者が、接続が確立する以前に相手が着信を通知されている旨の表示を受信した後で、ユーザ・ユーザ情報の送受信が行われてもよい。相手の着信承認よりも前に加入者が送信するユーザ・ユーザ情報は、通話の確立後に相手に届けられるネットワークオプションであってもよい。
ユーザ・ユーザ情報は接続が確立している間のみ送受信可能である。
【００３６】
ユーザ・ユーザ情報サービスでは、１メッセージにつき最長１２８オクテットのユーザ・ユーザ情報の伝達が可能である。
ユーザ・ユーザ信号補助サービスは、両加入者がともにＧＳＭ  ＰＬＭＮ／ＩＳＤＮ加入者である場合、あるいは非ＩＳＤＮネットワークがユーザ・ユーザ情報の送信手段を提供する場合のみ実施可能である。
【００３７】
１メッセージにつき最長３２オクテットのユーザ・ユーザ情報の送信のみを支援するネットワークもある。相互動作の場合には、１メッセージにつき３２オクテット以上のユーザ・ユーザ情報は最初の３２オクテットだけが転送される。加入者には、ユーザ・ユーザ情報の制限については通知されない。
ＧＳＭネットワークは、間接的に要求されるユーザ・ユーザ信号サービスを３２オクテットで支援してもよい。
【００３８】
転送を行う加入者が当該のユーザ・ユーザ信号サービスに加入している場合に限りユーザ・ユーザ信号要求およびユーザ・ユーザ情報の転送を可能にするネットワークオプションは支援されない。話中時再呼び出し補助サービスは、原則として当初の呼設定情報をすべて保持し、この情報を話中時再呼び出し補助サービスに再利用する。このサービスは、ユーザ・ユーザ信号補助サービスに対しても有効である。したがって、当初の呼設定に含まれるユーザ・ユーザ情報はネットワークに格納され、話中時再呼び出し補助サービス通話に再利用される。
【００３９】
これらの動作およびエラーを符号化するための作成タイプの正式な定義は、ユーザ・ユーザ信号補助サービス規格において提供される。
メッセージ構造は、ユーザ・ユーザ信号補助サービスにおいて用いられる。メッセージ構造の一般的な定義および解釈の鍵は、ＥＴＳＩ（欧州通信規格協会）ＥＮ  ３００  ４０３−１に定められている。
【００４０】
ユーザ・ユーザ情報要素は、ユーザ間での情報の伝達に用いられる。この情報はネットワークによって解釈されることはなく、トランスペアレントに受信ユーザに運ばれる。この情報は、図３に示すようにユーザ・ユーザ情報要素と称してもよい。ユーザ・ユーザ情報要素のオクテット１におけるバイト８は０である。残りの７バイトはユーザ・ユーザ情報要素識別子として用いられる。
【００４１】
オクテット２はユーザ・ユーザ内容長を定義する。オクテット３は、転送されるメッセージのプロトコルを特定するプロトコル識別子を含む。また、オクテット４、オクテット５およびそれ以降のオクテットは、送信されたユーザ情報を含むユーザ情報フィールドを定義する。
【００４２】
ユーザ情報フィールドのコンテンツには制限がない。ユーザ情報メッセージに加え、設定、通知、接続、切断、進行、解放、解放完了のメッセージにはユーザ・ユーザ情報要素が含まれる。
【００４３】
ユーザ情報の転送を処理するための本発明の好適な実施例を、図４を参照して説明する。ＳＳ７ネットワーク３３はＣＣＩＴＴ（国際電信電話諮問委員会）規格のネットワークであり、システムの個々の部分を相互接続する。ＳＳ７ネットワーク３３は、いわゆるインテリジェントネットワーク（ＩＮ）においてサービス制御ポイント（ＳＣＰ）３４に接続される。インテリジェントネットワークは遠隔通信サービスの提供に対する支払の情報を含み、ホームロケーションレジスタ（ＨＬＲ）３５はデータベースを備える。
【００４４】
データベースは、遠隔通信サービスの提供を受ける当該加入者の情報と、移動局（電話１）へのメッセージの通信経路を選択するためのＳＭＳゲートウェイおよびＳＭＳ相互動作移動体通信交換局（ＭＳＣ）３７を含む。ショートメッセージサービスセンタ（ＳＭＳＣ）３６と、ＳＭＳゲートウェイおよびＳＭＳ相互動作移動体通信交換局（ＭＳＣ）３７とは、ＳＭＳＣ３６とＳＳ７ネットワーク３３との間のＳＭＳを処理するとともに通信の経路を選択する。
【００４５】
通話は（ＵＵＳチャネルと並行して）ＳＳ７ネットワーク３３から移動局１へと送信される。その際、移動体通信交換局（ＭＳＣ）３９および基地局プロセッサ（ＢＳＣ）３８を経由する。基地局（ＢＴＳ）４０は、移動局１との電波接続を確立する。
【００４６】
本発明の通信端末の好適な実施例は、ＧＳＭネットワークとの関連において用いられる。しかし、本発明はもちろん別の通信端末ネットワークとの関連において用いてもよい。すなわち、携帯電話ネットワークや、様々な形式の無線通信端末システム、あるいはこうしたシステム／ネットワークの集合にアクセスするデュアルバンド通信端末において用いてもよい。
【００４７】
プロセッサ１８は、携帯電話のユーザインターフェースと接続し、電話の活動を監視するとともに、その活動に応じて表示部３を制御する。
プロセッサ１８は状態変化イベントの発生を検出し、電話および表示テキストの状態を変化させる。メニュー選択キー９を含むキーパッド７を操作して、ユーザが状態変化イベントを発生させることも可能である。こうしたイベントは、エントリイベントまたはユーザイベントと呼ばれる。一方、通信端末と通信を行うネットワークが状態変化イベントを発生させてもよい。こうしたイベントやユーザの制御範囲を超えたイベントを、非ユーザイベントと称す。非ユーザイベントには、呼設定中の状態変化、バッテリ電圧の変化、アンテナ状態の変化、ＳＭＳ受信メッセージ等が含まれる。
【００４８】
通信端末における個別化アイテムの処理機能は基本的にメニュー構造に含まれている。したがって、メニュー構造との関連において説明することができる。各実施例は通信端末が待機モードにあるところから開始する。待機モードとは、通信端末の電源が入っており、どのような操作にも対応できる状態のことを指す。
【００４９】
待機モード表示は、ソフトキー９をいくつ用いるかによって実施例ごとに異なる。ここで扱う実施例においては、通信端末は２つのソフトキーを有するが、この通信端末は、１つ、３つあるいはそれ以上のソフトキーを有していてもよい。また、各キーが本発明による個別化アイテムの処理機能を備えることは言うまでもない。図１３に、異なる数のソフトキーを備える通信端末の待機モード表示を示す。ソフトキーの数が異なる別の通信端末の表示部（図示せず）も、本発明の理念に沿うよう変化する。
【００５０】
図５ａ乃至１２を参照して、本発明の別の実施例を説明する。図５ａ乃至１２は、個別化アイテムの処理機能を備えた通信端末の表示部を示す図およびフローチャートである。まず、本発明の操作上の設定を説明し、続いて操作について述べる。
【００５１】
個別化アイテム機能の操作上の設定は、すべての通話およびすべての異なる操作モードに全般的に適用することもできるが、別の操作モードを選択することもできる。操作モードはプロファイルとも称され、多くの設定が存在する。例えば、通知方法、着信音の種類、着信音やメッセージ通知音の大きさなどがこれにあたり、環境や好みに合うように調節が可能である。
【００５２】
例えば、通信端末を使用するとき、夕食の席では普段の通知音は避けバイブレーションによる通知のみに設定する。会議に出席しているときには通知音を鳴らしてもよい。また、移動中には通信端末にヘッドセットを接続し、周囲の騒音が大きいときにはラウドスピーカの音量を最大に設定する。モードすなわちプロファイルを選択することにより、こうした特徴はどれも容易に変更することができる。
【００５３】
図５ａに示すのは、通信端末すなわち電話１の待機表示５０である。表示５０は信号の強度５３およびバッテリ残量５２を示す２本のバーを含む。さらに、時刻表示５４、電話１が現在接続している通信事業者またはネットワークの識別表示５５、２つのヘッダ５１がある。ヘッダ５１は、２つのソフトキー９の現在の機能（メニュー：メニュー構造へアクセス、名前：電話帳へアクセス）を表す。
【００５４】
待機モードのとき、ユーザは左のソフトキー９（図５ａ参照）「メニュー」を押すことによって機能を選択できる。ナビゲーションキー１０を用いて、表示部３が「設定」を表示するまでスクロールダウンする。表示部はヘッダ５９を含む。ヘッダ５９は表示部のモードを表示し（「設定」）、右上隅のメニューレベル表示５８と画像（図示せず）は表示メニューの機能を説明する画像等を表示する。メニューレベル表示５８は現在表示されているメニューに特有の番号を表示する。この番号を用いれば、ナビゲーションキー１０でスクロールダウンしなくても、目的のメニューに直接移行することができる。
【００５５】
画面５６はさらに、右側部分に表示線５７を含む。表示線５７は一部が曲線となっており、現在のメニューがこのメニューレベルのいくつかのメニューのうちの１つであることを示す。曲線部の位置はメニューレベル表示５８の最終桁に対応する。
【００５６】
画面５６に「設定」が表示されているとき、左側のソフトキー９「選択」を押すと、設定機能が起動し、設定の第１サブメニューを表示する（段階２０１）。一方、右側のソフトキー９「終了」を押すと、通信端末は待機モード（待機モード表示５０）に戻る（段階２９９）。これを図５ａおよび５ｂに示す。ナビゲーションキー１０を用いてスクロールダウンをすることにより、画面には様々な設定のためのサブメニューが表示される。これらのサブメニューのうちの１つが画面６１であり、ヘッダ６０「個別化アイテムの設定」を表示する。
【００５７】
左側のソフトキー９「選択」を押すことにより、画面６１に「個別化アイテムの設定」が表示されると、個別化アイテムの機能設定が起動する（段階２０２）。画面６２はヘッダ６３を表示する。ヘッダ６３は第１の機能「個別化アイテムを送信する」を表す。この設定は、左のソフトキー９「選択」を押すことによって変更可能である（段階２０３）。利用可能なオプションの第１設定を画面６４に示す。
【００５８】
図示するように、利用可能なオプションは、「入」６５、「切」６６、「先に問い合わせる」６７である。これらは呼設定ごとに個別化アイテムを標準として送信する機能である。左のソフトキー９「選択」を押した時にどのオプションが実行されるのかを示すために、オプションのうち１つは反転表示される。ナビゲーションキー１０をスクロールおよび／または左のソフトキー９を押すことによって、いずれかのオプションを実行または選択すると、通信端末は画面６１に戻る。ほとんどのサブメニューにおいては、右のソフトキー９「戻る」を押して、通信端末をメニューレベル画面に戻すことができる。
【００５９】
ソフトキー９の代わりにナビゲーションキー１０を用いて画面６１をスクロールダウンすると、第２設定「個別化アイテム」のヘッダ６９を表示する画面６８が現れる。この設定を用いて、特定の個別化アイテムを選択する。この個別化アイテムは、「個別化アイテム」機能が有効であるときにデフォルトのアイテムとして送信される。個別化アイテムの選択に用いられる。
【００６０】
画面６８には、第２ヘッダ７０とともに、個別化アイテムのタイプと選択されたアイテムの名前とが表示される。この設定は左のソフトキー「選択」を押すことによって変更可能である（段階２０４）。第２設定に利用可能な個別化アイテムのタイプを画面７１に示す。画面７１に表示される利用可能な個別化アイテムのタイプは、「テキスト」７２、「画像」７３、「アニメーション」７４、「着信音」７５である。これらの機能のうち１つを選択することにより、選択された個別化アイテムは各通話の標準設定となる。
【００６１】
画面７１の第１のタイプは「テキスト」７２である。これは、左のソフトキー９「選択」を押すことによって実行される。ナビゲーションキー１０を押し上げ／下げることにより、他に可能なタイプすなわち「画像」７３、「アニメーション」７４および「着信音」７５が「テキスト」７２に代わって反転表示され、実行可能になる。
【００６２】
第１のタイプ「テキスト」７２を選択すなわち実行すると、画面１１４は、デフォルトの個別化アイテムとして選択可能なテキストオプションのリストを表示する。左側のソフトキー９「オプション」を押すことにより、画面１３４（図６参照）は、個別化アイテムの処理に利用可能ないくつかのオプション（「選択」１３５、「一覧」１３６、「編集」１３７、「削除」１３８）を表示する。これらのオプションは当然他のオプションであってもよい。オプションはどれも左のソフトキー９「選択」を押すことによって選択することができる。第１オプション１３５「選択」を選択すると、通信端末は画面７１に戻り、選択された個別化アイテムがデフォルトによって使用される。
【００６３】
第２オプション「表示」１３６を選択した場合には、全テキストアイテムが新しい画面に表示される（図示せず）。右のソフトキー９「戻る」を押すことによってこの画面を離れ、通信端末は画面１１４に戻る。
【００６４】
第３オプション「編集」１３７を選択すると、全テキストアイテムが新しい画面に表示される（図示せず）。このとき、テキストの編集が可能である。ナビゲーションキー１０は前後の画面への移動に用いられ、右のソフトキー９「消去」はテキストの削除に、キーパッド７は新しいテキストの入力に、左のソフトキー９「完了」は編集を完了して画面１１４に戻るのに用いられる。
【００６５】
第４オプション「消去」１３８を選択すると、テキストアイテムは削除される。ただし事前に確認画面（図示せず）が表示され、ユーザに削除の確認を行う。確認は左のソフトキー９「ＯＫ」を押すことによって実行され、通信端末は画面１１４に戻る。右のソフトキー「戻る」が選択されると、通信端末は画面１３４に戻る。
【００６６】
ナビゲーションキー１０を用いて画面７１をスクロールダウンし、左のソフトキー９「選択」を押すことにより、第２タイプの個別化アイテム「画像」７３が選択される。現れた画面１２４には異なる画像１２５乃至１２８のリストが表示される。これを選択してデフォルトの個別化アイテムとする。画像アイテムは、図６の画面１３４について前述したテキストアイテムと同様の方法で処理することができる。
【００６７】
ナビゲーションキー１０を用いて画面７１をさらにスクロールダウンし、左のソフトキー９「選択」を押すことにより、第３タイプの個別化アイテム「アニメーション」７４が選択される。画面１１９には異なるアニメーション１２０乃至１２３のリストが表示され、これを選択してデフォルトの個別化アイテムとする。アニメーションアイテムは、図６の画面１３４について前述したテキストアイテムと同様の方法で処理することができる。
【００６８】
ナビゲーションキー１０を用いて画面７１をさらにスクロールダウンし、左のソフトキー９「選択」を押すことにより、第４タイプの個別化アイテム「着信音」７５が選択される。画面１２９には異なる着信音１３０乃至１３３のリストが表示され、これを選択してデフォルトの個別化アイテムとする。着信音は、図６の画面１３４について前述したテキストアイテムと同様の方法で処理することができる。
【００６９】
画面６１からナビゲーションキー１０を用いてスクロールダウンを続けると、画面６８の後に別の画面７６が現れる。画面７６はヘッダ７７とともに第３の設定「送信」機能を表示する。この設定は、送信する個別化アイテムの受信者を選択するために用いられる。画面７６には、どの受信者が個別化アイテムの送信を受けるのかを示す第２ヘッダ７８が表示される。この設定は左のソフトキー９「選択」を押すことによって変更できる（段階２０５）。
【００７０】
続いて、画面７９に利用可能な受信者グループが表示され、第３設定を行う。画面７９には、いくつかの受信者グループ８０、８２乃至８４が示される。各グループの先頭にはボックス８１があり、ボックスにチェックマークを付されたグループが個別化アイテムのデフォルト受信者に含まれることを表す。チェックマークを付すには、左のソフトキー９を押す。ボックス８１にチェックマークが付いておらず反転表示されているとき、左のソフトキーのヘッダ５１は「マークする」を表示する。また、既にマークが付されているときには、「マーク解除」を表示する。
【００７１】
右のソフトキー９「戻る」を押すことにより、受信者グループの選択が実行される。このとき、確認画面（図示せず）が表示され、変更を左のソフトキー９「はい」で承認する。その後、通信端末は画面７６に戻る。一方、右のソフトキー９「いいえ」を押して変更を拒否する場合には、通信端末は画面７９に戻り、さらに変更を行う。
【００７２】
ナビゲーションキー１０を用いて画面６８からさらにスクロールダウンを続けると、画面７６の後に別の画面８５が現れる。画面８５は第４設定「作成者」のヘッダ８６を表示する。この設定は新しい個別化アイテムの作成に用いられる。作成者は左のソフトキー９「選択」を押し（段階２０６）、画面８７が作成することのできる利用可能な個別化アイテム８８乃至９１のリストを表示する。
【００７３】
各個別化アイテムのタイプは、ナビゲーションキー１０によるスクロールダウンおよび／または左のソフトキー９「選択」を押すことによって新しく作られる。これにより、通信端末は編集メニュー（図示せず）に切り替わり、異なるタイプの個別化アイテム８８乃至９１が作成される。新しい個別化アイテム８８乃至９１は、作成の後保存され、通信端末は左のソフトキー９を押すことによって画面８５に戻る。新しい個別化アイテムは、画面６８に加えられることによりデフォルトのアイテムとして用いられる。
【００７４】
図５ａに示すのは、別の設定画面９２である。ここに図示される設定は、可能な設定の例に過ぎず、他にも様々な設定が可能である。
前述したように、個別化アイテム機能の操作上の設定は、操作上のモードまたはプロファイルにあわせて調節することができる。図５ｂに示すのは、これを説明する画面である。待機モード（画面５０）において、ユーザは前述したように左のソフトキー９「メニュー」（図５ａを参照）を押すことによって機能を選択し、ナビゲーションキー１０を用いて表示部３が「プロファイル」を表示するまでスクロールダウンする。図５ｂの画面１７０にこれを示す。
【００７５】
この画面は、画面のモード（「プロファイル」）を表すヘッダと、右上隅にメニューレベル表示と、画面のメニューの機能を説明する絵などを表示する画像（図示せず）と、画面の右部分に表示線とを含む。表示線は一部が曲線になっており、現在のメニューがこのメニューレベルのいくつかのメニューのうちの１つであることを示す。
【００７６】
画面１７０に「プロファイル」が表示されているとき、左のソフトキー９「選択」を押すことによって、プロファイルの設定機能が起動する（段階２１０）。画面１７２はプロファイル１７３乃至１７６のリストを表示する。画面１７２に示すよりも数多くのプロファイルがあってもよい。各プロファイル１７３乃至１７６は、ナビゲーションキー１０でスクロールダウンし、左のソフトキー９「選択」を押すと、反転表示されているプロファイルを選択する。
【００７７】
プロファイルが選択されると画面１７７が現れる（段階２１１）。画面１７７は、選択したプロファイルをどのように処理するかのオプション１７８乃至１８０を表示する。第１オプション１７８「起動」は、選択したプロファイルを実行するのに用いられる。第１オプションは左のソフトキー９を押すことによって実行される。その後、通信端末は待機モードの画面５０に戻り、選択されたプロファイルの名前を表示するヘッダ（図示せず）が現れる。
【００７８】
第２オプション１７９「個別化」は、プロファイルの設定に用いられる。これは例えば着信音、着信音量、プロファイルの名前、バイブレーション、スクリーンセーバなどである。左のソフトキー９「選択」を押す（段階２１２）ことにより、第２オプション１７９が反転表示されると、プロファイルの第１設定を表示した画面（図示せず）が現れる。プロファイルの別の設定を選択せずにナビゲーションキー１０でスクロールダウンを続けると、画面１８１「個別化アイテムの設定」が現れる。個別化アイテムの設定は、左のソフトキー９「選択」を押すことによって変更可能である（段階２０２）。このことは、操作上の設定全体との関連において前述した。
【００７９】
また、一定数の電話帳２３に対して、個別化アイテムをデフォルトとして受信または拒否するよう設定することも可能である。また、発信者番号識別（ＣＬＩ）が有効であれば個別化アイテムを受信するという設定も可能である。
【００８０】
次に、呼設定中、通話中、着信との関連において、本発明の概念を説明する。図６乃至８およびフローチャート１０乃至１２を参照する。
待機モード（図５ａの画面５０）から開始して、ユーザは電話をかけたい相手の電話番号を数字キー８を用いて入力する。入力した電話番号１０１（段階２２０）の一例を画面１０１に示す（図６参照）。番号の１桁が入力されると、左のソフトキー９の現在の機能を表すヘッダ５１は「選択」から「オプション」に変化する。また、右のソフトキー９の現在の機能を表すヘッダ５１は「名前」から「消去」に変化する。
【００８１】
電話番号１０１を入力した後、ユーザは左の通話処理キー１２を押して電話をかける。右の通話処理キー１２を一度押すと、入力した数字をすべて削除して待機モードに戻る。右のソフトキー９「削除」を用いる場合には、一度押す度に数字を１つ削除する。あるいは、左のソフトキー９「オプション」を押すと画面１０２が表示され、入力された電話番号１０１をどのように使用するかのオプション１０３乃至１０６が現れる。画面１０２には図示するよりも多くのオプションがあるが、わかりやすくするために数項目しか図示しない。
【００８２】
ナビゲーションキー１０を用いてスクロールダウンすることにより、第４オプション１０６「個別化アイテムを含む」が反転表示され、左のソフトキー９「選択」を押すことによって選択される（段階２２１）。画面１０７は個別化アイテム１０８乃至１１３を含む。第１アイテム１０８「デフォルト」は、そのプロファイルのデフォルトとして選択されたアイテムか、あるいは、すべてのモードすなわちプロファイルに共通の個別化アイテムとして選択されたアイテムである。このデフォルトの個別化アイテムがどうやって選択されるのかについては、操作上の設定に関連して前述した。
【００８３】
第１アイテム１０８「デフォルト」は左のソフトキー９「選択」を押すことにより選択される（段階２２２）。通信端末は画面１０２に戻る。メニューの「発信」が反転表示されるまでスクロールダウン／アップし、左のソフトキー９「選択」を押すか左の通話処理キー１２を押すことによって、呼設定処理が開始される。通信端末はネットワークがユーザ・ユーザ信号を支援することを確認し（段階２２４）、ユーザ・ユーザ信号要素のデータフィールドに個別化アイテムを加えるとともに、ユーザ・ユーザ信号要素をユーザ・ユーザ信号チャネルを経由して送信する（段階２２５）。ユーザ・ユーザ信号要素が受信者に転送され、呼設定が終了すると、通話が確立する（段階２２６）。
【００８４】
デフォルトの個別化アイテムではないアイテムが望ましい場合には、ナビゲーションキー１０を用いて別のアイテム１０９乃至１１３のいずれかが反転表示されるまでスクロールダウンし、左のソフトキー９を押して好適なアイテムを選択する（段階２２３）。新しい個別化アイテムが望ましい場合には、アイテム１０９「作成者」を選択する。画面８７に似た画面が現れ、新しい個別化アイテムが作成される。新しい個別化アイテムがどうやって作成されるのかについては、操作上の設定における作成者に関連して前述した。
【００８５】
新しい個別化アイテムが作成されると、通信端末は画面１０２に戻る。デフォルトのアイテム１０８について前述したように、呼設定処理が開始される。テキストアイテム１１０が必要なときには、画面１０７においてアイテム１１０「テキスト」を選択すると、画面１１４が表示される。画面１１４は、異なる標準テキストアイテムまたは事前作成テキストアイテム１１５乃至１１８のリストを含む。ナビゲーションキー１０を用いてリストをさらにスクロールダウンすると、さらなるテキストアイテムが表示される。
【００８６】
好適なテキストアイテム１１０はナビゲーションキー１０で反転表示され、左のソフトキー９「オプション」を押すことによって選択される。選択の後、画面１３４は、選択されたテキストアイテムをどのように処理するのかについて、いくつかのオプション（「選択」１３５、「表示」１３６、「編集」１３７、「消去」１３８）を表示する。
【００８７】
これらのオプションの機能については、図５ａおよび５ｂを参照して操作上の設定に関連して前述した。テキストアイテムが処理および選択された後、通信端末は画面１０２に戻る。呼設定処理は、前述したように、デフォルトのアイテム１０８と作成者アイテム１０９とに対して開始される。「アニメーション」アイテム１１１、「画像」アイテム１１２、「着信音」アイテム１１３のうちいずれかが選択されると、「テキスト」アイテム１１０の場合と同様の処理が繰り返される。
【００８８】
設定を説明する部分によると、個別化機能は少なくとも例えば「入」「切」「先に問い合わせる」などの操作を有する。「切」設定のとき、通信端末は個別化アイテムの送受信を行わない。第１通信端末が個別化アイテムを送信したにもかかわらず第２通信端末が受信しなかった場合には、第１通信端末は、第２通信端末が個別化アイテムを受信しなかったことを通知される。
【００８９】
「先に問い合わせる」設定の通信端末は着信を検出し（段階２５０）、個別化アイテムが通話に添付されているときには、受信端末が個別化アイテム機能を利用できるか否かを確認する（段階２５１）。機能が利用可能であれば、通知記録１４９「個別化アイテムが添付されています」が画面１４８に表示される（段階２５２）。一方、個別化アイテム機能が利用できない場合には、着信は通常の方法で通知される。通知記録１４９は、個別化アイテムが添付されており、所望により表示可能であることを着信側のユーザに知らせる。
【００９０】
左のソフトキー９「オプション」を押すことにより、異なるオプション１５１乃至１５３が画面１５０に表示される。第１オプション１５１「応答」は、個別化アイテムの受信および実行（段階２５４）とともに、通話の確立（段階２５５）を意味する。これは、左のソフトキー９を押すことによって実行される。実行された個別化アイテム１４１、１４５、１４７は、画面１４０、１４４、１４６に表示される。画像１４０はヘッダ１４３を含む。ヘッダ１４３は、発信者番号識別（ＣＬＩ）が有効な場合には、発信者を表示する。電話のアイコン１４２は端末が通話モードにあることを示す。
【００９１】
画面１５０のとき、左のソフトキー９の代わりに右のソフトキー９「戻る」を押すと、通信端末は画面１５４に切り替わる。画面１５４は右のソフトキー９に対して画面１４８とは別のヘッダ表示５１を有する。第２オプション１５２「拒否」が選択されると、呼設定が終了する（段階２５９）。第３オプション１５３「アイテム拒否」が選択されると、着信を受信し通話が確立する（段階２５５）が、個別化アイテムは表示されない。通話が終了した（段階２５７）後、受信者は、受信した個別化アイテム（段階２６０）を専用メモリに格納することができる（段階２６１）。その後、通信端末は待機モードに戻る（段階２６２）。
【００９２】
代替的な実施例においては、個別化アイテムの受信者は、転送された個別化アイテムを受信し通話に応答する前に、個別化アイテムを調べることができる。
「入」設定の通信端末が着信を検知する（段階２５０）。この通話に個別化アイテムが添付されているとき、通信端末は、受信側の端末が利用可能な個別化アイテム機能を有するか否かを確認する（段階２５１）。機能が利用可能であれば、通信端末は個別化アイテムを実行する（段階２５４）。利用できない場合には、着信が通常の方法で通知される。実行される個別化アイテム１４１、１４５および１４７の例を、画面１４０、１４４および１４６に示す。
【００９３】
通信端末のユーザは、通常のオプション「応答」１５１を有する（段階２５５）。あるいは、通話を「拒否」１５２する（段階２５６）。画面１５６にこれを示す。画面１５６には左のソフトキー９「選択」を押すことによってアクセスできる。一方、画面１５６のときに右のソフトキー９「戻る」を押すと、通信端末は画面１５５に切り替わる。画面１５５は、右のソフトキー９に関して画面１４０、１４４、１４６とは別のヘッダ５１を有する。通話が終了すると（段階２５７）、受信者は、受信した個別化アイテムを（段階２６０）専用メモリに格納する（段階２６１）。その後、通信端末は待機モードに戻る（段階２６２）。
【００９４】
図８に示すのは、通話が確立および進行中のときの画面１５７である。この画面はヘッダ１５９を含む。ヘッダ１５９はどの通話が進行中であるかを示し、電話のアイコン１５８は端末が通話モードにあることを示す。右のソフトキー９「保留」は、通話の保留に用いられる。左のソフトキー「オプション」を押すと画面１６０が現れ、異なるオプション１６１乃至１６４のリストが表示される。ナビゲーションキー１０を用いてリストをスクロールダウンすると、さらに多くのオプションを利用することができる。ここではわかりやすくするために、画面１５９には一定数のオプションのみを示す。
【００９５】
リストをスクロールダウンすることにより、「個別化アイテムを送信」オプション１６４が反転表示される。左のソフトキー９「選択」を押して「個別化アイテムを送信」オプション１６４を選択すると（段階２７１）、画面１６５が現れる（段階２７２）。画面１６５には異なる個別化アイテムのタイプのリストが表示される。もちろん、画面１０７に示すようなデフォルトや作成者のオプションがあってもよい（図６参照）。
【００９６】
ナビゲーションキー１０を用いてリストをスクロールアップ／ダウンすることにより、好適なオプションが反転表示される。また、左のソフトキー９「選択」を押すことにより、好適なオプションが選択される（段階２７３（デフォルトの個別化アイテム）、段階２７４（新しい個別化アイテム作成）、段階２７５（標準／事前作成個別化アイテムを選択））。通信端末はユーザ・ユーザ信号（ＵＵＳ）を支援するネットワークを確認し（段階２７６）、ユーザ・ユーザ信号要素のデータフィールドに個別化アイテムを追加するとともに、ユーザ・ユーザ信号チャネルを経由してユーザ・ユーザ信号要素を送信する（段階２７７）。
【００９７】
ユーザ・ユーザ信号要素が受信者に転送され、確認通知が画面（図示せず）に表示されると、通信端末は画面１５７に戻る（段階２７８）。ネットワークがユーザ・ユーザ信号を支援しない場合には、通知が画面に表示され（図示せず）、音声通話が継続される（段階２７８）。
【００９８】
受信した個別化アイテムは、前述したように、受信端末の専用メモリに保存される。例えば、個別化アイテムとして受信した着信音は、発信者番号識別（ＣＬＩ）着信音として、受信側の通信端末の電話帳にある発信者の電話番号に割り当てられる。別の例は、個別化アイテムとして受信された画像あるいはアイコンは、発信者番号識別（ＣＬＩ）アイコンとして受信側の通信端末の電話帳にある発信者の電話番号に割り当てられる。
【００９９】
以上に説明したテキストメッセージ、画像、アニメーション、呼び出し音の例以外にも、通信端末の個別化を進め、通話と並行して送信可能なアイテムは、個別化アイテムとして記録されなければならない。アイテムの例としては他にロゴや名刺が挙げられる。
【０１００】
本発明は上記の例や本発明の実施例を示す図面に制限されず、特許請求の範囲内で変形が可能である。例えば、説明した通信端末が有するソフトキーの数は２つのみであるが、１つ、３つあるいはそれ以上のソフトキーを備えた通信端末が本発明による個別化アイテムの処理機能を有してもよいことは明らかである。通信端末の画面は、本発明の概念に沿うように変更される。
【図面の簡単な説明】
【０１０１】
【図１】通信端末の周知の実施例を示す斜視図。
【図２】携帯電話ネットワークを利用した通信に用いられる電話の不可欠な部分を示す概略図。
【図３】本発明の好適な実施例に従って処理される通話相手への転送情報のユーザ・ユーザ信号要素の例を示す図。
【図４】本発明を実行するネットワークの基本要素を示す図。
【図５ａ】本発明による個別化アイテムの処理機能を有する通信端末の表示部の異なるウィンドウを示す図。
【図５ｂ】本発明による個別化アイテムの処理機能を有する通信端末の表示部の異なるウィンドウを示す図。
【図６】本発明による個別化アイテムの処理機能を有する通信端末の表示部の異なるウィンドウを示す図。
【図７】本発明による個別化アイテムの処理機能を有する通信端末の表示部の異なるウィンドウを示す図。
【図８】本発明による個別化アイテムの処理機能を有する通信端末の表示部の異なるウィンドウを示す図。
【図９ａ】本発明による個別化アイテム機能の操作上の設定のフローチャート。
【図９ｂ】本発明による個別化アイテム機能の操作上の設定のフローチャート。
【図１０】本発明による個別化アイテム機能を用いた呼設定処理のフローチャート。
【図１１】本発明による個別化アイテム機能を用いた着信処理のフローチャート。
【図１２】本発明による通話中の個別化アイテムの送信のフローチャート。
【図１３】異なる数のソフトキーを有する通信端末の待機モード画面を示す図。


【手続補正２】
【補正対象書類名】図面
【補正対象項目名】図９ｂ
【補正方法】変更
【補正の内容】
【図９ｂ】
2005507625.tif 000054
【手続補正３】
【補正対象書類名】図面
【補正対象項目名】図１１
【補正方法】変更
【補正の内容】
【図１１】
2005507625.tif 000055
【手続補正書】
【提出日】平成15年12月11日(2003.12.11)
【手続補正１】
【補正対象書類名】特許請求の範囲
【補正対象項目名】全文
【補正方法】変更
【補正の内容】
【特許請求の範囲】
【請求項１】
第１通信端末から受信した情報を第２通信端末においてユーザが処理するための方法であって、前記第１および第２通信端末が互いに呼設定モードまたは通話モードにあるときに、
前記第１通信端末が前記第２通信端末に情報を送信する段階と、
前記第２通信端末が前記情報を受信し一時的に格納する段階と、
前記第２通信端末が、好ましくは通話の終了後に、前記ユーザに前記情報を専用メモリに格納する機会を与える段階と、を備えることを特徴とする方法。
【請求項２】
請求項１に記載の方法であって、前記第２通信端末における受信情報の拒否または実行を前記ユーザが選択できる段階を備えることを特徴とする方法。
【請求項３】
請求項２に記載の方法であって、前記情報を呼設定中に受信する場合、前記ユーザは前記情報および前記着信通話を同時に拒否できる段階を備えることを特徴とする方法。
【請求項４】
請求項２または３に記載の方法であって、前記ユーザが前記情報を拒否または実行する前に、前記受信情報についての記録を表示する段階を備えることを特徴とする方法。
【請求項５】
請求項４に記載の方法であって、前記記録を表示する前に、前記通信端末が前記情報と関連した利用可能な機能を有することを確認する段階を備えることを特徴とする方法。
【請求項６】
請求項２乃至５のいずれかに記載の方法であって、前記情報が呼設定中に転送されるとき、通話が確立する前に前記ユーザが前記情報を拒否できる段階を備えることを特徴とする方法。
【請求項７】
請求項２乃至６のいずれかに記載の方法であって、前記情報が呼設定中に転送されるとき、通話が確立する前に前記ユーザが前記情報を実行できる段階を備えることを特徴とする方法。
【請求項８】
請求項１に記載の方法であって、前記第２通信端末の呼設定中に情報を処理する設定が「入」のとき、
前記情報を受信する段階と、
前記通信端末が前記情報と関連した利用可能な機能を有することを確認する段階と、
前記アイテム機能が利用可能であれば前記アイテムを実行する段階と、
を備えることを特徴とする方法。
【請求項９】
請求項１乃至８のいずれかに記載の方法であって、前記転送された情報を前記受信側通信端末の表示部に表示することを特徴とする方法。
【請求項１０】
請求項１乃至９のいずれかに記載の方法であって、前記転送された情報を前記受信側通信端末で再生することを特徴とする方法。
【請求項１１】
請求項１乃至１０のいずれかに記載の方法であって、前記転送された情報を前記受信側通信端末の専用メモリまたは一時メモリに格納し、その後削除することを特徴とする方法。
【請求項１２】
請求項１乃至１１のいずれかに記載の方法であって、前記転送された情報を発信者番号識別（ＣＬＩ）着信音として、前記受信側通信端末の電話帳にある発信者の電話番号に割り当てることを特徴とする方法。
【請求項１３】
請求項１乃至１２のいずれかに記載の方法であって、前記転送された情報を、各発信者番号識別に接続した前記着信側通信端末に転送された発信者番号識別アイコンとして格納することを特徴とする方法。
【請求項１４】
請求項１乃至１３のいずれかに記載の方法であって、前記第２通信端末は、前記第２通信端末の前記電話帳にある選択した電話番号が転送する情報を受信または拒否するよう設定されることを特徴とする方法。
【請求項１５】
請求項１乃至１４のいずれかに記載の方法であって、前記受信側の通信端末は、前記受信側通信端末の電話帳の発信者番号識別が有効である場合、前記転送された情報のみを受信するよう設定されることを特徴とする方法。
【請求項１６】
請求項１乃至１５のいずれかに記載の方法であって、前記転送された情報は、テキストメッセージ、着信音、画像、アニメーション、ロゴ、名刺またはその他の個人的特徴を表す情報を含むことを特徴とする方法。
【請求項１７】
請求項１乃至１６のいずれかに記載の方法であって、前記転送された情報についての記録を前記通信端末の表示部に表示することを特徴とする方法。
【請求項１８】
ユーザによる第１通信端末から第２通信端末への情報の転送を可能にする方法であって、
前記第１および第２通信端末が互いに呼設定モードまたは通話モードにあるときに、
前記第１通信端末が通話を開始する段階と、
前記第１通信端末が「先に問い合わせる」設定を含むユーザによる調整が可能な個別化情報の発信処理設定を有し、前記第１通信端末の「先に問い合わせる」設定が有効であればユーザに情報を送信するか否かを問い合わせる段階と、を備えることを特徴とする方法。
【請求項１９】
請求項１８に記載の方法であって、
前記第１通信端末からの各発信通話の情報を転送する段階を備え、
前記転送される情報は、好ましくは前記第２通信端末からの全発信通話のデフォルトの情報であるか、あるいは、前記第２通信端末からの各発信通話のために前記通信端末において事前に定義された情報のメニューからユーザが選択した情報であることを特徴とする方法。
【請求項２０】
請求項１８または１９に記載の方法であって、前記デフォルトの情報設定は前記着信側の電話番号に従属することを特徴とする方法。
【請求項２１】
請求項１８に記載の方法であって、
前記第１通信端末は、個別化アイテムの送信先の受信者グループを１つ以上選択し、前記第２通信端末が情報を送信される受信者グループの１つに属するか否かを確認して、属するのであれば個別化アイテムを送信することを特徴とする方法。
【請求項２２】
請求項２１に記載の方法であって、前記個別化アイテムは、選択した電話番号または電話番号群に送信され割り当てられることを特徴とする方法。
【請求項２３】
請求項１８乃至２２に記載の方法であって、前記転送された情報は、テキストメッセージ、着信音、画像、アニメーション、ロゴ、名刺あるいはその他の個人的特徴を表す情報を含むことを特徴とする方法。
【請求項２４】
発信側通信端末から転送された情報を処理することのできる通信端末であって、
プロセッサと、
着信情報を処理し、前記プロセッサにおいて動作するアプリケーションと、を備え、
前記アプリケーションは受信した個別化情報を一時的に格納し、好ましくは通話の終了後に、前記情報を専用メモリに保存する機会をユーザに与えることを特徴とする通信端末。
【請求項２５】
請求項２４に記載の通信端末であって、前記アプリケーションは前記着信情報を処理するためにユーザが調整可能な複数の設定を有し、前記設定は、前記ユーザが各転送について受信した情報を実行するか否かを決定できる「先に問い合わせる」設定を少なくとも備えることを特徴とする通信端末。
【請求項２６】
請求項２５に記載の通信端末であって、前記アプリケーションはさらに、前記受信した情報を受信直後に自動的に実行する「入」設定を備えることを特徴とする通信端末。
【請求項２７】
請求項２５または２６に記載の通信端末であって、前記通信端末は電子電話帳を備えた携帯電話であり、前記アプリケーションはさらに、前記受信した情報を前記電話帳の選択した電話番号に対しては実行しない設定を備えることを特徴とする通信端末。
【請求項２８】
請求項２５乃至２７のいずれかに記載の通信端末であって、前記通信端末は電子電話帳を備えた携帯電話であり、前記アプリケーションはさらに、前記受信した情報を前記電話帳で前記発信者番号識別が有効である場合にのみ実行する設定を備えることを特徴とする通信端末。
【請求項２９】
請求項２５乃至２８に記載の通信端末であって、前記アプリケーションは、前記転送された情報を識別するルーチンを備えることを特徴とする通信端末。
【請求項３０】
請求項２５乃至２９に記載の通信端末であって、前記アプリケーションは、前記転送された情報の検出に応じて前記転送された情報の特徴を分析するルーチンを備えることを特徴とする通信端末。
【請求項３１】
請求項２５乃至３０に記載の通信端末であって、前記アプリケーションは、前記通信端末表示部に前記転送された情報についての記録を表示するルーチンを備えることを特徴とする通信端末。
【請求項３２】
請求項２５乃至３１のいずれかに記載の通信端末であって、前記転送された情報は個別化アイテムの電子表示を含み、前記アプリケーションは前記受信側通信端末において前記情報を自動的に用いるルーチンを備え、前記個別化アイテムを前記通信端末において表示、再生、格納あるいは何らかの方法で使用することを特徴とする通信端末。
【請求項３３】
請求項２５乃至３２のいずれかに記載の通信端末において、前記端末は携帯電話であって、前記情報は着信音を含み、前記アプリケーションはユーザの要求に応じて前記受信した着信音を着信音データベースに自動的に格納し、前記受信した着信音を通知信号として前記電話帳データベースの前記送信側端末の電話番号に設定するルーチンを備えることを特徴とする通信端末。
【請求項３４】
請求項２５乃至３３のいずれかに記載の通信端末であって、前記転送された情報は、テキストメッセージ、着信音、画像、アニメーション、ロゴ、名刺あるいはその他の個人的特徴を表す情報を含むことを特徴とする通信端末。
【請求項３５】
呼設定中および／または通話の最中に着信側通信端末に情報を転送できる通信端末であって、
プロセッサと、
送信情報を処理し、前記プロセッサで動作するアプリケーションと、を備え、
前記アプリケーションは、前記送信情報を処理するためのユーザが調整可能な複数の設定を有し、
前記設定は、ユーザに情報を送信するか否かを決定する機会を与える「先に問い合わせる」設定を少なくとも含むことを特徴とする通信端末。
【請求項３６】
請求項３５に記載の通信端末であって、前記アプリケーションはさらに、通話の開始に応じてデフォルトの情報を自動的に送信する「入」設定を備えることを特徴とする通信端末。
【請求項３７】
請求項３６に記載の通信端末であって、前記アプリケーションは、前記通信端末において、事前に定義された情報セットのメニューから前記ユーザがデフォルトの情報を選択できる選択ルーチンを備えることを特徴とする通信端末。
【請求項３８】
請求項３５乃至３７のいずれかに記載の通信端末であって、前記通信端末は電子電話帳を備えた携帯電話であり、前記アプリケーションはさらに、デフォルトの情報設定を前記電話帳の選択した電話番号または電話番号群に送信する設定を備えることを特徴とする通信端末。
【請求項３９】
請求項３５乃至３８のいずれかに記載の通信端末であって、前記通信端末は携帯電話であり、前記デフォルトの情報は前記着信側の電話番号に従属することを特徴とする通信端末。
【請求項４０】
請求項３５乃至３９に記載の通信端末であって、前記転送された情報は、テキストメッセージ、着信音、画像、アニメーション、ロゴ、名刺あるいはその他の個人的特徴を表す情報を含むことを特徴とする通信端末。
【手続補正２】
【補正対象書類名】明細書
【補正対象項目名】全文
【補正方法】変更
【補正の内容】
【発明の詳細な説明】
【技術分野】
【０００１】
本発明は通信端末に関する。この通信端末は、呼設定中および通話中に個別化アイテムの転送を処理するためのプロセッサとアプリケーションとを有する。個別化アイテムは、着信側の人物に何かに気づかせたり、あるいは単に通話を個別化したりするのに用いられる。
本発明はさらに、ユーザによる第１通信端末から第２通信端末へのアイテムの転送を可能にするための方法に関する。第１および第２通信端末がともに呼設定モードあるいは通話モードにあるとき、第１通信端末は第２通信端末へアイテムを送信する。
【背景技術】
【０００２】
移動体通信の開発は、通信方法および表現形式のさらなる個別化を目指している。個別化の例としては、ショートメッセージサービス（ＳＭＳ）、チャット、画像メッセージ、アニメーション、着信音、通信事業者のロゴ、バイブレーション、交換可能なカバー、写真入れなどが挙げられる。しかし、ユーザはこうした機能に制約を感じており、さらなる発展が求められている。
【０００３】
ＧＳＭ０２．８７規格による仕様では、ユーザ・ユーザ信号（ＵＵＳ）補助サービスが、加入者が生成した一定量の情報を音声通話と連携して別のユーザへ／から送受信することを可能にしている。ユーザ・ユーザ情報（ＵＵＩ）チャネルは、例えば呼設定中に、通信に使用可能なスピーチ・チャネルと並行して機能する。加入者は、自身が加入しているサービスに応じて、通話の様々な局面においてユーザ・ユーザ情報を送受信することができる。
【０００４】
特許文献１には、移動体電話通信システムおよび移動体データ通信システムにおいて、呼設定中に第１通信端末のアプリケーションが第２通信端末のアプリケーションへデータを送信できるようにするための方法が記載されている。データとは例えば、着信音や独自のロゴなどを指す。ユーザ・ユーザ信号は、こうしたデータを呼設定中に第２通信端末のアプリケーションに転送するためのキャリア波として用いられる。
【特許文献１】
ＷＯ９９／２５１０７
【発明の開示】
【発明が解決しようとする課題】
【０００５】
ユーザは、呼設定中および／または通話の最中に受信した情報を保存するか否かを、その情報を調べる前には決定することができないことが多い。すなわち、例えば着信音に関しては、受信した着信音を聞くまでは、ユーザはその着信音を保存する必要があるか否かを往々にして判断できない。本発明の第１の目的は、この問題を克服あるいは少なくとも軽減することである。
【０００６】
本発明の第２の目的は、呼設定中あるいは通話の最中に転送された情報の送信を円滑にする通信端末を提供することである。
ユーザは、呼設定中および／または通話の最中に受信した情報を保持するか否かを、その情報を調べる前には決定できないことが多い。例えば着信音の場合、受信した着信音を聞く前には、その着信音を保存する必要について判断することができない。したがって、本発明の第３の目的は、この問題を克服あるいは少なくとも軽減することである。
また、本発明の第４の目的は、第１通信端末から第２通信端末へのアイテムの転送を円滑にするための方法を提供することである。
【課題を解決するための手段】
【０００７】
ユーザは、呼設定中および／または通話の最中に受信した情報を保存するか否かを、その情報を調べる前には決定することができないことが多い。すなわち、例えば着信音に関しては、受信した着信音を聞くまでは、ユーザはその着信音を保存する必要があるか否かを往々にして判断できない。本発明の第１の目的は、この問題を克服あるいは少なくとも軽減することである。
【０００８】
この目的を達成するのは、発信側の通信端末から転送された情報を処理することのできる通信端末である。この通信端末は、プロセッサと、このプロセッサで動作し着信情報を処理するアプリケーションとを備える。アプリケーションは受信した個別化情報を一時的に格納する。ユーザは、好ましくは通話の終了後に、この情報を専用メモリに保存する機会を与えられる。
【０００９】
特許文献１に記載の通信端末は、受信した情報を専用メモリに保存する前にユーザがこの情報を調べる／試すことのできる手段を備えていない。したがって、ユーザは着信情報の処理に関して十分な制御を行うことができなかった。
【００１０】
本発明によれば、ユーザは一時的に保存した情報を調べる／試すことができ、その後その情報を破棄または保存することが可能である。また、調べる必要がなければ専用メモリに保存することができる。これにより、さらに多くのユーザが受信した情報を利用できる。
ユーザは、受信した情報を実行するか否かを端末が先に問い合わせる設定を選択することもできる。これは特に、個別化アイテムを受信するユーザが、特定の状況下でアイテムを拒否するため、あるいは特定のタイプのアイテムを拒否するために、受信したアイテムについて１つ１つ決定したい場合に都合がよい。
【００１１】
アプリケーションは、ユーザにその情報を実行するか否かを問い合わせる前に、受信した情報が端末において実行可能か否かを先に確認するのが望ましい。端末は、情報を実行するか否かをユーザに問い合わせる一方で、アイテムについての記録を表示する。この記録は、例えば受信したアイテムのタイプをユーザが知ることができるよう、情報を説明するのが望ましい。
【００１２】
通信端末が電子電話帳を備えている場合、ユーザは、電話帳の中の選択した番号に対しては受信した情報を実行しない設定を選択してもよい。あるいは、電話帳の発信者番号識別が有効の場合にのみ、受信したアイテムを実行する設定を選択してもよい。
【００１３】
本発明の第２の目的は、呼設定中あるいは通話の最中に転送される情報の送信を円滑にする通信端末を提供することである。
この目的を達成するために、本発明は、着信側の通信端末に情報を転送することのできる通信端末を提供する。この通信端末は、プロセッサと、このプロセッサで動作し送信情報の転送を行うアプリケーションとを備える。アプリケーションは、送信情報の処理に関して複数の設定を有する。この設定は、ユーザによる調整が可能である。また、少なくとも「先に問い合わせる」設定を備える。「先に問い合わせる」設定においては、ユーザは呼設定中に情報を送信するか否かを決定することができる。
【００１４】
特許文献１に記載の通信端末は、呼設定中または通話の最中の送信アイテム処理に関して、通話ごとに通信端末の動作を調整するための手段を有さない。したがって、ユーザは発信情報について十分な制御を行うことができなかった。
【００１５】
本発明によると、ユーザは呼設定中または通話の最中に端末の望ましい情報送信動作を選択できるようになる。これにより、はるかに多くのユーザが、より多くの状況下で、受信したアイテムを使用することができる。
【００１６】
ユーザは、デフォルトの情報を送信するか否かを端末が先に問い合わせる設定を選択することができる。これは、通常は個別化アイテムの送信を行うユーザが、特定の状況下では情報を送信しないよう、発信ごとに情報を送信するか否かを決定したい場合に好都合である。アプリケーションはさらに、「入」設定を備えていてもよい。「入」設定では、通話の開始に応じてデフォルトの情報が自動的に送信される。
【００１７】
選択ルーチンにおいて、ユーザは通信端末で事前に定義されたアイテムのメニューからデフォルトの情報を選択することができる。また、アプリケーションの設定には、電話帳の中の選択された電話番号あるいは電話番号群に対してデフォルトの情報を送信する設定があってもよい。ユーザは、デフォルトのアイテムを発信相手の番号に従属させることもできる。
【００１８】
ユーザは、呼設定中および／または通話の最中に受信した情報を保持するか否かを、その情報を調べる前には決定できないことが多い。例えば着信音の場合、受信した着信音を聞く前には、その着信音を保存する必要について判断することができない。したがって、本発明の第３の目的は、この問題を克服あるいは少なくとも軽減することである。
【００１９】
この目的は、ユーザによる第１通信端末から第２通信端末への情報の転送を可能にするための方法を提供することによって達成される。第１および第２通信端末は互いに呼設定モードあるいは通話モードにある。第１通信端末は第２通信端末に情報を送信する。第２通信端末は情報を受信して一時的に格納する。ユーザは、好ましくは通話の終了後に、情報を専用メモリに保存する機会を与えられる。
ユーザは一時的に保存された情報を調べ、その後破棄または保存する。また、調べる必要がなければ専用メモリに保存することができる。
【００２０】
第２通信端末の呼設定中にアイテムを処理するための設定が「先に問い合わせる」である場合、アイテム受信後の最初の段階は、端末が利用可能なアイテム機能を有することの確認である。その後ユーザは、アイテムが受信され実行可能であることを通知される。ユーザはアイテムを実行するか否かの問い合わせを受ける。
【００２１】
受信したアイテムについての記録が表示され、ユーザは通話が確立する前にアイテムを拒否または実行することができる。また、通話の終了後には、アイテムを専用メモリに保存することができる。
【００２２】
第２通信端末の呼設定中にアイテムを処理するための設定が「入」ならば、端末のアイテム機能が利用可能であることが確かめられる。このとき、利用可能であればアイテムが実行される。
【００２３】
本発明の第４の目的は、第１通信端末から第２通信端末へのアイテムの転送を円滑にするための方法を提供することである。第１および第２通信端末は互いに呼設定モードまたは通話モードにある。
【００２４】
この目的は、ユーザによる第１通信端末から第２通信端末へのアイテムの転送を可能にすることにより達成される。第１および第２通信端末は互いに呼設定モードまたは通話モードにあり、第１通信端末からの発信の段階を備える。第１通信端末は、個別化情報送信処理のための複数の設定を有する。これには「先に問い合わせる」設定が含まれる。ユーザは設定を調整することができる。第１通信端末の「先に問い合わせる」設定が有効であれば、情報を送信するか否かをユーザに問い合わせる段階が存在する。
【００２５】
ユーザは送信するアイテムを選択することができる。転送されるアイテムは、第２通信端末からのすべての発信についてデフォルトのアイテムであってもよい。あるいは、第２通信端末からの発信に対して、通信端末において事前に定義されたアイテムのメニューからユーザが選択してもよい。デフォルトのアイテムは発信する相手の番号に従属する。アイテムは、選択された電話番号または電話番号群に割り当てられ、これらの電話番号に送信される。
【発明を実施するための最良の形態】
【００２６】
本発明による個別化アイテムは、呼設定中および通話の最中に、本発明による通信端末において転送される。これを持ち運び型の電話、好ましくは携帯／自動車電話を参照して説明する。この電話の実施例を図１に示す。図１は携帯電話１の斜視図である。同図に示すように、電話１は正面カバー２を備える。正面カバー２は表示部アセンブリ３の保護ウィンドウを取り囲むウィンドウ枠を有する。携帯電話１はユーザインターフェースを備え、電源入／切ボタン４、スピーカ５（開孔のみを示す）、キーパッド７、バッテリ１４、表示部／ＬＣＤ３、マイクロホン６（開孔のみを示す）を有する。
【００２７】
キーパッド７はキー８の第１グループを備える。このグループには英数字キーが含まれ、ユーザはこれを用いて電話番号の入力、テキストメッセージ（ＳＭＳ）の入力、（電話番号と対応した）名前の入力を行うことができる。１２個の英数字キー８はそれぞれ０から９までの数字または「＃」、「＊」などの符号を割り当てられている。英字モードにおいては、各キーはテキスト編集に用いる文字や特別な符号と対応する。
【００２８】
キーパッド７はさらに、２種類のメニュー選択キーすなわちソフトキー９と、２つの通話処理キー１２と、ナビゲーションキー１０とを備える。ソフトキー９の機能性は、電話の状態と、メニューのナビゲーションとによって決まる。このキー９の現在の機能は、キー９の上部にある表示部３の別々のフィールドに表示される。２つの通話処理キー１２は、通話の確立や会議通話、通話の終了、着信拒否に用いられる。このキー配置は、例えばノキア６２１０（登録商標）などの携帯電話に特徴的である。
【００２９】
ナビゲーションキー１０は上下動キーである。ナビゲーションキー１０は電話の正面の表示部３と英数字キー群８とに挟まれて中央に設置される。ユーザは親指での操作が可能である。この位置は、正確な運動感覚を必要とする入力キーには最も良い設置位置である。携帯電話の扱いに精通しているユーザは、片手での操作に慣れているので、携帯電話を指先と手のひらとの間に置いて使用する。この持ち方によれば、親指で自由に情報を入力することができる。
【００３０】
図２は電話／端末の好適な実施例の最も重要な部分を示す概略図である。この部分は本発明の理解には不可欠である。マイクロホン６がユーザの発話を記録すると、アナログ信号が形成され、これがＡ／Ｄ変換器（図示せず）においてＡ／Ｄ変換される。その後、発話はオーディオ部分（デジタル信号処理装置）２０において符号化される。符号化された発話信号はプロセッサ（物理層プロセッサ）１８に転送される。
【００３１】
プロセッサ１８は、例えばＧＳＭ端末ソフトウェアを支援する。プロセッサ１８は、ＲＡＭ１７ａ、ＲＯＭ１７ｂ、ＳＩＭカード１６、表示部３、キーパッド７（図１を参照）、ならびにデータ供給、電源供給など、装置の周辺端末に対するインターフェースを形成する。プロセッサ１８は、送受信回路１９およびアンテナ２１を経由して、ネットワークとの接続を制御する。オーディオ部分２０は信号を音声復号化する。信号はプロセッサからＤ／Ａ変換器（図示せず）を経由してスピーカ５へ転送される。
【００３２】
プロセッサ１８は、バス２４を経由してＲＡＭ１７ａ、フラッシュＲＯＭ１７ｂ、ＳＩＭカード１６、表示部３、キーパッド７（図１参照）ならびにデータ供給、電源供給等と接続する。また、電話帳２３もバス２４を介してプロセッサ１８と接続する。電話帳２３はＳＩＭカード１６および／またはフラッシュＲＯＭ１７ａに格納されてもよい。
【００３３】
本発明の好適な実施例によると、ユーザ・ユーザ信号装置２２はプロセッサ１８によって制御され、例えば呼設定中に、ＧＳＭ規格に従ってスピーチ・チャネルと並行してユーザ・ユーザ信号チャネルでユーザ・ユーザ信号を提供する。
ＧＳＭ０２．８７規格によると、ユーザ・ユーザ信号補助サービスは、加入者が生成した一定量の情報を音声通話と連携して別のユーザへ／から送受信することを可能にする。この情報はネットワークを介して、ユーザに意識させずに（すなわちコンテンツの修正をすることなく）伝達される。通常、ネットワークはこの情報を解釈したり、この情報によって動作したりしてはならない。
【００３４】
加入者は、通話のさまざまな局面において、加入しているサービスに応じてユーザ・ユーザ情報を送受信することができる。
ＧＳＭ規格によるこうしたサービスによって、ユーザ・ユーザ情報を通話の開始および終了の際に送受信することが可能となる。ユーザ・ユーザ情報は通話制御メッセージに埋め込まれる。通話の確立時にユーザ・ユーザ情報を挿入することによって、間接的にサービスを開始させることが可能である。あるいは、適切な手順を踏んで直接的に開始させることもできる。
【００３５】
加入者が、接続が確立する以前に相手が着信を通知されている旨の表示を受信した後で、ユーザ・ユーザ情報の送受信が行われてもよい。相手の着信承認よりも前に加入者が送信するユーザ・ユーザ情報は、通話の確立後に相手に届けられるネットワークオプションであってもよい。
ユーザ・ユーザ情報は接続が確立している間のみ送受信可能である。
【００３６】
ユーザ・ユーザ情報サービスでは、１メッセージにつき最長１２８オクテットのユーザ・ユーザ情報の伝達が可能である。
ユーザ・ユーザ信号補助サービスは、両加入者がともにＧＳＭ  ＰＬＭＮ／ＩＳＤＮ加入者である場合、あるいは非ＩＳＤＮネットワークがユーザ・ユーザ情報の送信手段を提供する場合のみ実施可能である。
【００３７】
１メッセージにつき最長３２オクテットのユーザ・ユーザ情報の送信のみを支援するネットワークもある。相互動作の場合には、１メッセージにつき３２オクテット以上のユーザ・ユーザ情報は最初の３２オクテットだけが転送される。加入者には、ユーザ・ユーザ情報の制限については通知されない。
ＧＳＭネットワークは、間接的に要求されるユーザ・ユーザ信号サービスを３２オクテットで支援してもよい。
【００３８】
転送を行う加入者が当該のユーザ・ユーザ信号サービスに加入している場合に限りユーザ・ユーザ信号要求およびユーザ・ユーザ情報の転送を可能にするネットワークオプションは支援されない。話中時再呼び出し補助サービスは、原則として当初の呼設定情報をすべて保持し、この情報を話中時再呼び出し補助サービスに再利用する。このサービスは、ユーザ・ユーザ信号補助サービスに対しても有効である。したがって、当初の呼設定に含まれるユーザ・ユーザ情報はネットワークに格納され、話中時再呼び出し補助サービス通話に再利用される。
【００３９】
これらの動作およびエラーを符号化するための作成タイプの正式な定義は、ユーザ・ユーザ信号補助サービス規格において提供される。
メッセージ構造は、ユーザ・ユーザ信号補助サービスにおいて用いられる。メッセージ構造の一般的な定義および解釈の鍵は、ＥＴＳＩ（欧州通信規格協会）ＥＮ  ３００  ４０３−１に定められている。
【００４０】
ユーザ・ユーザ情報要素は、ユーザ間での情報の伝達に用いられる。この情報はネットワークによって解釈されることはなく、トランスペアレントに受信ユーザに運ばれる。この情報は、図３に示すようにユーザ・ユーザ情報要素と称してもよい。ユーザ・ユーザ情報要素のオクテット１におけるバイト８は０である。残りの７バイトはユーザ・ユーザ情報要素識別子として用いられる。
【００４１】
オクテット２はユーザ・ユーザ内容長を定義する。オクテット３は、転送されるメッセージのプロトコルを特定するプロトコル識別子を含む。また、オクテット４、オクテット５およびそれ以降のオクテットは、送信されたユーザ情報を含むユーザ情報フィールドを定義する。
【００４２】
ユーザ情報フィールドのコンテンツには制限がない。ユーザ情報メッセージに加え、設定、通知、接続、切断、進行、解放、解放完了のメッセージにはユーザ・ユーザ情報要素が含まれる。
【００４３】
ユーザ情報の転送を処理するための本発明の好適な実施例を、図４を参照して説明する。ＳＳ７ネットワーク３３はＣＣＩＴＴ（国際電信電話諮問委員会）規格のネットワークであり、システムの個々の部分を相互接続する。ＳＳ７ネットワーク３３は、いわゆるインテリジェントネットワーク（ＩＮ）においてサービス制御ポイント（ＳＣＰ）３４に接続される。インテリジェントネットワークは遠隔通信サービスの提供に対する支払の情報を含み、ホームロケーションレジスタ（ＨＬＲ）３５はデータベースを備える。
【００４４】
データベースは、遠隔通信サービスの提供を受ける当該加入者の情報と、移動局（電話１）へのメッセージの通信経路を選択するためのＳＭＳゲートウェイおよびＳＭＳ相互動作移動体通信交換局（ＭＳＣ）３７を含む。ショートメッセージサービスセンタ（ＳＭＳＣ）３６と、ＳＭＳゲートウェイおよびＳＭＳ相互動作移動体通信交換局（ＭＳＣ）３７とは、ＳＭＳＣ３６とＳＳ７ネットワーク３３との間のＳＭＳを処理するとともに通信の経路を選択する。
【００４５】
通話は（ＵＵＳチャネルと並行して）ＳＳ７ネットワーク３３から移動局１へと送信される。その際、移動体通信交換局（ＭＳＣ）３９および基地局プロセッサ（ＢＳＣ）３８を経由する。基地局（ＢＴＳ）４０は、移動局１との電波接続を確立する。
【００４６】
本発明の通信端末の好適な実施例は、ＧＳＭネットワークとの関連において用いられる。しかし、本発明はもちろん別の通信端末ネットワークとの関連において用いてもよい。すなわち、携帯電話ネットワークや、様々な形式の無線通信端末システム、あるいはこうしたシステム／ネットワークの集合にアクセスするデュアルバンド通信端末において用いてもよい。
【００４７】
プロセッサ１８は、携帯電話のユーザインターフェースと接続し、電話の活動を監視するとともに、その活動に応じて表示部３を制御する。
プロセッサ１８は状態変化イベントの発生を検出し、電話および表示テキストの状態を変化させる。メニュー選択キー９を含むキーパッド７を操作して、ユーザが状態変化イベントを発生させることも可能である。こうしたイベントは、エントリイベントまたはユーザイベントと呼ばれる。一方、通信端末と通信を行うネットワークが状態変化イベントを発生させてもよい。こうしたイベントやユーザの制御範囲を超えたイベントを、非ユーザイベントと称す。非ユーザイベントには、呼設定中の状態変化、バッテリ電圧の変化、アンテナ状態の変化、ＳＭＳ受信メッセージ等が含まれる。
【００４８】
通信端末における個別化アイテムの処理機能は基本的にメニュー構造に含まれている。したがって、メニュー構造との関連において説明することができる。各実施例は通信端末が待機モードにあるところから開始する。待機モードとは、通信端末の電源が入っており、どのような操作にも対応できる状態のことを指す。
【００４９】
待機モード表示は、ソフトキー９をいくつ用いるかによって実施例ごとに異なる。ここで扱う実施例においては、通信端末は２つのソフトキーを有するが、この通信端末は、１つ、３つあるいはそれ以上のソフトキーを有していてもよい。また、各キーが本発明による個別化アイテムの処理機能を備えることは言うまでもない。図１３に、異なる数のソフトキーを備える通信端末の待機モード表示を示す。ソフトキーの数が異なる別の通信端末の表示部（図示せず）も、本発明の理念に沿うよう変化する。
【００５０】
図５ａ乃至１２を参照して、本発明の別の実施例を説明する。図５ａ乃至１２は、個別化アイテムの処理機能を備えた通信端末の表示部を示す図およびフローチャートである。まず、本発明の操作上の設定を説明し、続いて操作について述べる。
【００５１】
個別化アイテム機能の操作上の設定は、すべての通話およびすべての異なる操作モードに全般的に適用することもできるが、別の操作モードを選択することもできる。操作モードはプロファイルとも称され、多くの設定が存在する。例えば、通知方法、着信音の種類、着信音やメッセージ通知音の大きさなどがこれにあたり、環境や好みに合うように調節が可能である。
【００５２】
例えば、通信端末を使用するとき、夕食の席では普段の通知音は避けバイブレーションによる通知のみに設定する。会議に出席しているときには通知音を鳴らしてもよい。また、移動中には通信端末にヘッドセットを接続し、周囲の騒音が大きいときにはラウドスピーカの音量を最大に設定する。モードすなわちプロファイルを選択することにより、こうした特徴はどれも容易に変更することができる。
【００５３】
図５ａに示すのは、通信端末すなわち電話１の待機表示５０である。表示５０は信号の強度５３およびバッテリ残量５２を示す２本のバーを含む。さらに、時刻表示５４、電話１が現在接続している通信事業者またはネットワークの識別表示５５、２つのヘッダ５１がある。ヘッダ５１は、２つのソフトキー９の現在の機能（メニュー：メニュー構造へアクセス、名前：電話帳へアクセス）を表す。
【００５４】
待機モードのとき、ユーザは左のソフトキー９（図５ａ参照）「メニュー」を押すことによって機能を選択できる。ナビゲーションキー１０を用いて、表示部３が「設定」を表示するまでスクロールダウンする。表示部はヘッダ５９を含む。ヘッダ５９は表示部のモードを表示し（「設定」）、右上隅のメニューレベル表示５８と画像（図示せず）は表示メニューの機能を説明する画像等を表示する。メニューレベル表示５８は現在表示されているメニューに特有の番号を表示する。この番号を用いれば、ナビゲーションキー１０でスクロールダウンしなくても、目的のメニューに直接移行することができる。
【００５５】
画面５６はさらに、右側部分に表示線５７を含む。表示線５７は一部が曲線となっており、現在のメニューがこのメニューレベルのいくつかのメニューのうちの１つであることを示す。曲線部の位置はメニューレベル表示５８の最終桁に対応する。
【００５６】
画面５６に「設定」が表示されているとき、左側のソフトキー９「選択」を押すと、設定機能が起動し、設定の第１サブメニューを表示する（段階２０１）。一方、右側のソフトキー９「終了」を押すと、通信端末は待機モード（待機モード表示５０）に戻る（段階２９９）。これを図５ａおよび５ｂに示す。ナビゲーションキー１０を用いてスクロールダウンをすることにより、画面には様々な設定のためのサブメニューが表示される。これらのサブメニューのうちの１つが画面６１であり、ヘッダ６０「個別化アイテムの設定」を表示する。
【００５７】
左側のソフトキー９「選択」を押すことにより、画面６１に「個別化アイテムの設定」が表示されると、個別化アイテムの機能設定が起動する（段階２０２）。画面６２はヘッダ６３を表示する。ヘッダ６３は第１の機能「個別化アイテムを送信する」を表す。この設定は、左のソフトキー９「選択」を押すことによって変更可能である（段階２０３）。利用可能なオプションの第１設定を画面６４に示す。
【００５８】
図示するように、利用可能なオプションは、「入」６５、「切」６６、「先に問い合わせる」６７である。これらは呼設定ごとに個別化アイテムを標準として送信する機能である。左のソフトキー９「選択」を押した時にどのオプションが実行されるのかを示すために、オプションのうち１つは反転表示される。ナビゲーションキー１０をスクロールおよび／または左のソフトキー９を押すことによって、いずれかのオプションを実行または選択すると、通信端末は画面６１に戻る。ほとんどのサブメニューにおいては、右のソフトキー９「戻る」を押して、通信端末をメニューレベル画面に戻すことができる。
【００５９】
ソフトキー９の代わりにナビゲーションキー１０を用いて画面６１をスクロールダウンすると、第２設定「個別化アイテム」のヘッダ６９を表示する画面６８が現れる。この設定を用いて、特定の個別化アイテムを選択する。この個別化アイテムは、「個別化アイテム」機能が有効であるときにデフォルトのアイテムとして送信される。個別化アイテムの選択に用いられる。
【００６０】
画面６８には、第２ヘッダ７０とともに、個別化アイテムのタイプと選択されたアイテムの名前とが表示される。この設定は左のソフトキー「選択」を押すことによって変更可能である（段階２０４）。第２設定に利用可能な個別化アイテムのタイプを画面７１に示す。画面７１に表示される利用可能な個別化アイテムのタイプは、「テキスト」７２、「画像」７３、「アニメーション」７４、「着信音」７５である。これらの機能のうち１つを選択することにより、選択された個別化アイテムは各通話の標準設定となる。
【００６１】
画面７１の第１のタイプは「テキスト」７２である。これは、左のソフトキー９「選択」を押すことによって実行される。ナビゲーションキー１０を押し上げ／下げることにより、他に可能なタイプすなわち「画像」７３、「アニメーション」７４および「着信音」７５が「テキスト」７２に代わって反転表示され、実行可能になる。
【００６２】
第１のタイプ「テキスト」７２を選択すなわち実行すると、画面１１４は、デフォルトの個別化アイテムとして選択可能なテキストオプションのリストを表示する。左側のソフトキー９「オプション」を押すことにより、画面１３４（図６参照）は、個別化アイテムの処理に利用可能ないくつかのオプション（「選択」１３５、「一覧」１３６、「編集」１３７、「削除」１３８）を表示する。これらのオプションは当然他のオプションであってもよい。オプションはどれも左のソフトキー９「選択」を押すことによって選択することができる。第１オプション１３５「選択」を選択すると、通信端末は画面７１に戻り、選択された個別化アイテムがデフォルトによって使用される。
【００６３】
第２オプション「表示」１３６を選択した場合には、全テキストアイテムが新しい画面に表示される（図示せず）。右のソフトキー９「戻る」を押すことによってこの画面を離れ、通信端末は画面１１４に戻る。
【００６４】
第３オプション「編集」１３７を選択すると、全テキストアイテムが新しい画面に表示される（図示せず）。このとき、テキストの編集が可能である。ナビゲーションキー１０は前後の画面への移動に用いられ、右のソフトキー９「消去」はテキストの削除に、キーパッド７は新しいテキストの入力に、左のソフトキー９「完了」は編集を完了して画面１１４に戻るのに用いられる。
【００６５】
第４オプション「消去」１３８を選択すると、テキストアイテムは削除される。ただし事前に確認画面（図示せず）が表示され、ユーザに削除の確認を行う。確認は左のソフトキー９「ＯＫ」を押すことによって実行され、通信端末は画面１１４に戻る。右のソフトキー「戻る」が選択されると、通信端末は画面１３４に戻る。
【００６６】
ナビゲーションキー１０を用いて画面７１をスクロールダウンし、左のソフトキー９「選択」を押すことにより、第２タイプの個別化アイテム「画像」７３が選択される。現れた画面１２４には異なる画像１２５乃至１２８のリストが表示される。これを選択してデフォルトの個別化アイテムとする。画像アイテムは、図６の画面１３４について前述したテキストアイテムと同様の方法で処理することができる。
【００６７】
ナビゲーションキー１０を用いて画面７１をさらにスクロールダウンし、左のソフトキー９「選択」を押すことにより、第３タイプの個別化アイテム「アニメーション」７４が選択される。画面１１９には異なるアニメーション１２０乃至１２３のリストが表示され、これを選択してデフォルトの個別化アイテムとする。アニメーションアイテムは、図６の画面１３４について前述したテキストアイテムと同様の方法で処理することができる。
【００６８】
ナビゲーションキー１０を用いて画面７１をさらにスクロールダウンし、左のソフトキー９「選択」を押すことにより、第４タイプの個別化アイテム「着信音」７５が選択される。画面１２９には異なる着信音１３０乃至１３３のリストが表示され、これを選択してデフォルトの個別化アイテムとする。着信音は、図６の画面１３４について前述したテキストアイテムと同様の方法で処理することができる。
【００６９】
画面６１からナビゲーションキー１０を用いてスクロールダウンを続けると、画面６８の後に別の画面７６が現れる。画面７６はヘッダ７７とともに第３の設定「送信」機能を表示する。この設定は、送信する個別化アイテムの受信者を選択するために用いられる。画面７６には、どの受信者が個別化アイテムの送信を受けるのかを示す第２ヘッダ７８が表示される。この設定は左のソフトキー９「選択」を押すことによって変更できる（段階２０５）。
【００７０】
続いて、画面７９に利用可能な受信者グループが表示され、第３設定を行う。画面７９には、いくつかの受信者グループ８０、８２乃至８４が示される。各グループの先頭にはボックス８１があり、ボックスにチェックマークを付されたグループが個別化アイテムのデフォルト受信者に含まれることを表す。チェックマークを付すには、左のソフトキー９を押す。ボックス８１にチェックマークが付いておらず反転表示されているとき、左のソフトキーのヘッダ５１は「マークする」を表示する。また、既にマークが付されているときには、「マーク解除」を表示する。
【００７１】
右のソフトキー９「戻る」を押すことにより、受信者グループの選択が実行される。このとき、確認画面（図示せず）が表示され、変更を左のソフトキー９「はい」で承認する。その後、通信端末は画面７６に戻る。一方、右のソフトキー９「いいえ」を押して変更を拒否する場合には、通信端末は画面７９に戻り、さらに変更を行う。
【００７２】
ナビゲーションキー１０を用いて画面６８からさらにスクロールダウンを続けると、画面７６の後に別の画面８５が現れる。画面８５は第４設定「作成者」のヘッダ８６を表示する。この設定は新しい個別化アイテムの作成に用いられる。作成者は左のソフトキー９「選択」を押し（段階２０６）、画面８７が作成することのできる利用可能な個別化アイテム８８乃至９１のリストを表示する。
【００７３】
各個別化アイテムのタイプは、ナビゲーションキー１０によるスクロールダウンおよび／または左のソフトキー９「選択」を押すことによって新しく作られる。これにより、通信端末は編集メニュー（図示せず）に切り替わり、異なるタイプの個別化アイテム８８乃至９１が作成される。新しい個別化アイテム８８乃至９１は、作成の後保存され、通信端末は左のソフトキー９を押すことによって画面８５に戻る。新しい個別化アイテムは、画面６８に加えられることによりデフォルトのアイテムとして用いられる。
【００７４】
図５ａに示すのは、別の設定画面９２である。ここに図示される設定は、可能な設定の例に過ぎず、他にも様々な設定が可能である。
前述したように、個別化アイテム機能の操作上の設定は、操作上のモードまたはプロファイルにあわせて調節することができる。図５ｂに示すのは、これを説明する画面である。待機モード（画面５０）において、ユーザは前述したように左のソフトキー９「メニュー」（図５ａを参照）を押すことによって機能を選択し、ナビゲーションキー１０を用いて表示部３が「プロファイル」を表示するまでスクロールダウンする。図５ｂの画面１７０にこれを示す。
【００７５】
この画面は、画面のモード（「プロファイル」）を表すヘッダと、右上隅にメニューレベル表示と、画面のメニューの機能を説明する絵などを表示する画像（図示せず）と、画面の右部分に表示線とを含む。表示線は一部が曲線になっており、現在のメニューがこのメニューレベルのいくつかのメニューのうちの１つであることを示す。
【００７６】
画面１７０に「プロファイル」が表示されているとき、左のソフトキー９「選択」を押すことによって、プロファイルの設定機能が起動する（段階２１０）。画面１７２はプロファイル１７３乃至１７６のリストを表示する。画面１７２に示すよりも数多くのプロファイルがあってもよい。各プロファイル１７３乃至１７６は、ナビゲーションキー１０でスクロールダウンし、左のソフトキー９「選択」を押すと、反転表示されているプロファイルを選択する。
【００７７】
プロファイルが選択されると画面１７７が現れる（段階２１１）。画面１７７は、選択したプロファイルをどのように処理するかのオプション１７８乃至１８０を表示する。第１オプション１７８「起動」は、選択したプロファイルを実行するのに用いられる。第１オプションは左のソフトキー９を押すことによって実行される。その後、通信端末は待機モードの画面５０に戻り、選択されたプロファイルの名前を表示するヘッダ（図示せず）が現れる。
【００７８】
第２オプション１７９「個別化」は、プロファイルの設定に用いられる。これは例えば着信音、着信音量、プロファイルの名前、バイブレーション、スクリーンセーバなどである。左のソフトキー９「選択」を押す（段階２１２）ことにより、第２オプション１７９が反転表示されると、プロファイルの第１設定を表示した画面（図示せず）が現れる。プロファイルの別の設定を選択せずにナビゲーションキー１０でスクロールダウンを続けると、画面１８１「個別化アイテムの設定」が現れる。個別化アイテムの設定は、左のソフトキー９「選択」を押すことによって変更可能である（段階２０２）。このことは、操作上の設定全体との関連において前述した。
【００７９】
また、一定数の電話帳２３に対して、個別化アイテムをデフォルトとして受信または拒否するよう設定することも可能である。また、発信者番号識別（ＣＬＩ）が有効であれば個別化アイテムを受信するという設定も可能である。
【００８０】
次に、呼設定中、通話中、着信との関連において、本発明の概念を説明する。図６乃至８およびフローチャート１０乃至１２を参照する。
待機モード（図５ａの画面５０）から開始して、ユーザは電話をかけたい相手の電話番号を数字キー８を用いて入力する。入力した電話番号１０１（段階２２０）の一例を画面１０１に示す（図６参照）。番号の１桁が入力されると、左のソフトキー９の現在の機能を表すヘッダ５１は「選択」から「オプション」に変化する。また、右のソフトキー９の現在の機能を表すヘッダ５１は「名前」から「消去」に変化する。
【００８１】
電話番号１０１を入力した後、ユーザは左の通話処理キー１２を押して電話をかける。右の通話処理キー１２を一度押すと、入力した数字をすべて削除して待機モードに戻る。右のソフトキー９「削除」を用いる場合には、一度押す度に数字を１つ削除する。あるいは、左のソフトキー９「オプション」を押すと画面１０２が表示され、入力された電話番号１０１をどのように使用するかのオプション１０３乃至１０６が現れる。画面１０２には図示するよりも多くのオプションがあるが、わかりやすくするために数項目しか図示しない。
【００８２】
ナビゲーションキー１０を用いてスクロールダウンすることにより、第４オプション１０６「個別化アイテムを含む」が反転表示され、左のソフトキー９「選択」を押すことによって選択される（段階２２１）。画面１０７は個別化アイテム１０８乃至１１３を含む。第１アイテム１０８「デフォルト」は、そのプロファイルのデフォルトとして選択されたアイテムか、あるいは、すべてのモードすなわちプロファイルに共通の個別化アイテムとして選択されたアイテムである。このデフォルトの個別化アイテムがどうやって選択されるのかについては、操作上の設定に関連して前述した。
【００８３】
第１アイテム１０８「デフォルト」は左のソフトキー９「選択」を押すことにより選択される（段階２２２）。通信端末は画面１０２に戻る。メニューの「発信」が反転表示されるまでスクロールダウン／アップし、左のソフトキー９「選択」を押すか左の通話処理キー１２を押すことによって、呼設定処理が開始される。通信端末はネットワークがユーザ・ユーザ信号を支援することを確認し（段階２２４）、ユーザ・ユーザ信号要素のデータフィールドに個別化アイテムを加えるとともに、ユーザ・ユーザ信号要素をユーザ・ユーザ信号チャネルを経由して送信する（段階２２５）。ユーザ・ユーザ信号要素が受信者に転送され、呼設定が終了すると、通話が確立する（段階２２６）。
【００８４】
デフォルトの個別化アイテムではないアイテムが望ましい場合には、ナビゲーションキー１０を用いて別のアイテム１０９乃至１１３のいずれかが反転表示されるまでスクロールダウンし、左のソフトキー９を押して好適なアイテムを選択する（段階２２３）。新しい個別化アイテムが望ましい場合には、アイテム１０９「作成者」を選択する。画面８７に似た画面が現れ、新しい個別化アイテムが作成される。新しい個別化アイテムがどうやって作成されるのかについては、操作上の設定における作成者に関連して前述した。
【００８５】
新しい個別化アイテムが作成されると、通信端末は画面１０２に戻る。デフォルトのアイテム１０８について前述したように、呼設定処理が開始される。テキストアイテム１１０が必要なときには、画面１０７においてアイテム１１０「テキスト」を選択すると、画面１１４が表示される。画面１１４は、異なる標準テキストアイテムまたは事前作成テキストアイテム１１５乃至１１８のリストを含む。ナビゲーションキー１０を用いてリストをさらにスクロールダウンすると、さらなるテキストアイテムが表示される。
【００８６】
好適なテキストアイテム１１０はナビゲーションキー１０で反転表示され、左のソフトキー９「オプション」を押すことによって選択される。選択の後、画面１３４は、選択されたテキストアイテムをどのように処理するのかについて、いくつかのオプション（「選択」１３５、「表示」１３６、「編集」１３７、「消去」１３８）を表示する。
【００８７】
これらのオプションの機能については、図５ａおよび５ｂを参照して操作上の設定に関連して前述した。テキストアイテムが処理および選択された後、通信端末は画面１０２に戻る。呼設定処理は、前述したように、デフォルトのアイテム１０８と作成者アイテム１０９とに対して開始される。「アニメーション」アイテム１１１、「画像」アイテム１１２、「着信音」アイテム１１３のうちいずれかが選択されると、「テキスト」アイテム１１０の場合と同様の処理が繰り返される。
【００８８】
設定を説明する部分によると、個別化機能は少なくとも例えば「入」「切」「先に問い合わせる」などの操作を有する。「切」設定のとき、通信端末は個別化アイテムの送受信を行わない。第１通信端末が個別化アイテムを送信したにもかかわらず第２通信端末が受信しなかった場合には、第１通信端末は、第２通信端末が個別化アイテムを受信しなかったことを通知される。
【００８９】
「先に問い合わせる」設定の通信端末は着信を検出し（段階２５０）、個別化アイテムが通話に添付されているときには、受信端末が個別化アイテム機能を利用できるか否かを確認する（段階２５１）。機能が利用可能であれば、通知記録１４９「個別化アイテムが添付されています」が画面１４８に表示される（段階２５２）。一方、個別化アイテム機能が利用できない場合には、着信は通常の方法で通知される。通知記録１４９は、個別化アイテムが添付されており、所望により表示可能であることを着信側のユーザに知らせる。
【００９０】
左のソフトキー９「オプション」を押すことにより、異なるオプション１５１乃至１５３が画面１５０に表示される。第１オプション１５１「応答」は、個別化アイテムの受信および実行（段階２５４）とともに、通話の確立（段階２５５）を意味する。これは、左のソフトキー９を押すことによって実行される。実行された個別化アイテム１４１、１４５、１４７は、画面１４０、１４４、１４６に表示される。画像１４０はヘッダ１４３を含む。ヘッダ１４３は、発信者番号識別（ＣＬＩ）が有効な場合には、発信者を表示する。電話のアイコン１４２は端末が通話モードにあることを示す。
【００９１】
画面１５０のとき、左のソフトキー９の代わりに右のソフトキー９「戻る」を押すと、通信端末は画面１５４に切り替わる。画面１５４は右のソフトキー９に対して画面１４８とは別のヘッダ表示５１を有する。第２オプション１５２「拒否」が選択されると、呼設定が終了する（段階２５９）。第３オプション１５３「アイテム拒否」が選択されると、着信を受信し通話が確立する（段階２５５）が、個別化アイテムは表示されない。通話が終了した（段階２５７）後、受信者は、受信した個別化アイテム（段階２６０）を専用メモリに格納することができる（段階２６１）。その後、通信端末は待機モードに戻る（段階２６２）。
【００９２】
代替的な実施例においては、個別化アイテムの受信者は、転送された個別化アイテムを受信し通話に応答する前に、個別化アイテムを調べることができる。
「入」設定の通信端末が着信を検知する（段階２５０）。この通話に個別化アイテムが添付されているとき、通信端末は、受信側の端末が利用可能な個別化アイテム機能を有するか否かを確認する（段階２５１）。機能が利用可能であれば、通信端末は個別化アイテムを実行する（段階２５４）。利用できない場合には、着信が通常の方法で通知される。実行される個別化アイテム１４１、１４５および１４７の例を、画面１４０、１４４および１４６に示す。
【００９３】
通信端末のユーザは、通常のオプション「応答」１５１を有する（段階２５５）。あるいは、通話を「拒否」１５２する（段階２５６）。画面１５６にこれを示す。画面１５６には左のソフトキー９「選択」を押すことによってアクセスできる。一方、画面１５６のときに右のソフトキー９「戻る」を押すと、通信端末は画面１５５に切り替わる。画面１５５は、右のソフトキー９に関して画面１４０、１４４、１４６とは別のヘッダ５１を有する。通話が終了すると（段階２５７）、受信者は、受信した個別化アイテムを（段階２６０）専用メモリに格納する（段階２６１）。その後、通信端末は待機モードに戻る（段階２６２）。
【００９４】
図８に示すのは、通話が確立および進行中のときの画面１５７である。この画面はヘッダ１５９を含む。ヘッダ１５９はどの通話が進行中であるかを示し、電話のアイコン１５８は端末が通話モードにあることを示す。右のソフトキー９「保留」は、通話の保留に用いられる。左のソフトキー「オプション」を押すと画面１６０が現れ、異なるオプション１６１乃至１６４のリストが表示される。ナビゲーションキー１０を用いてリストをスクロールダウンすると、さらに多くのオプションを利用することができる。ここではわかりやすくするために、画面１５９には一定数のオプションのみを示す。
【００９５】
リストをスクロールダウンすることにより、「個別化アイテムを送信」オプション１６４が反転表示される。左のソフトキー９「選択」を押して「個別化アイテムを送信」オプション１６４を選択すると（段階２７１）、画面１６５が現れる（段階２７２）。画面１６５には異なる個別化アイテムのタイプのリストが表示される。もちろん、画面１０７に示すようなデフォルトや作成者のオプションがあってもよい（図６参照）。
【００９６】
ナビゲーションキー１０を用いてリストをスクロールアップ／ダウンすることにより、好適なオプションが反転表示される。また、左のソフトキー９「選択」を押すことにより、好適なオプションが選択される（段階２７３（デフォルトの個別化アイテム）、段階２７４（新しい個別化アイテム作成）、段階２７５（標準／事前作成個別化アイテムを選択））。通信端末はユーザ・ユーザ信号（ＵＵＳ）を支援するネットワークを確認し（段階２７６）、ユーザ・ユーザ信号要素のデータフィールドに個別化アイテムを追加するとともに、ユーザ・ユーザ信号チャネルを経由してユーザ・ユーザ信号要素を送信する（段階２７７）。
【００９７】
ユーザ・ユーザ信号要素が受信者に転送され、確認通知が画面（図示せず）に表示されると、通信端末は画面１５７に戻る（段階２７８）。ネットワークがユーザ・ユーザ信号を支援しない場合には、通知が画面に表示され（図示せず）、音声通話が継続される（段階２７８）。
【００９８】
受信した個別化アイテムは、前述したように、受信端末の専用メモリに保存される。例えば、個別化アイテムとして受信した着信音は、発信者番号識別（ＣＬＩ）着信音として、受信側の通信端末の電話帳にある発信者の電話番号に割り当てられる。別の例は、個別化アイテムとして受信された画像あるいはアイコンは、発信者番号識別（ＣＬＩ）アイコンとして受信側の通信端末の電話帳にある発信者の電話番号に割り当てられる。
【００９９】
以上に説明したテキストメッセージ、画像、アニメーション、呼び出し音の例以外にも、通信端末の個別化を進め、通話と並行して送信可能なアイテムは、個別化アイテムとして記録されなければならない。アイテムの例としては他にロゴや名刺が挙げられる。
【０１００】
本発明は上記の例や本発明の実施例を示す図面に制限されず、特許請求の範囲内で変形が可能である。例えば、説明した通信端末が有するソフトキーの数は２つのみであるが、１つ、３つあるいはそれ以上のソフトキーを備えた通信端末が本発明による個別化アイテムの処理機能を有してもよいことは明らかである。通信端末の画面は、本発明の概念に沿うように変更される。
【図面の簡単な説明】
【０１０１】
【図１】通信端末の周知の実施例を示す斜視図。
【図２】携帯電話ネットワークを利用した通信に用いられる電話の不可欠な部分を示す概略図。
【図３】本発明の好適な実施例に従って処理される通話相手への転送情報のユーザ・ユーザ信号要素の例を示す図。
【図４】本発明を実行するネットワークの基本要素を示す図。
【図５ａ】本発明による個別化アイテムの処理機能を有する通信端末の表示部の異なるウィンドウを示す図。
【図５ｂ】本発明による個別化アイテムの処理機能を有する通信端末の表示部の異なるウィンドウを示す図。
【図６】本発明による個別化アイテムの処理機能を有する通信端末の表示部の異なるウィンドウを示す図。
【図７】本発明による個別化アイテムの処理機能を有する通信端末の表示部の異なるウィンドウを示す図。
【図８】本発明による個別化アイテムの処理機能を有する通信端末の表示部の異なるウィンドウを示す図。
【図９ａ】本発明による個別化アイテム機能の操作上の設定のフローチャート。
【図９ｂ】本発明による個別化アイテム機能の操作上の設定のフローチャート。
【図１０】本発明による個別化アイテム機能を用いた呼設定処理のフローチャート。
【図１１】本発明による個別化アイテム機能を用いた着信処理のフローチャート。
【図１２】本発明による通話中の個別化アイテムの送信のフローチャート。
【図１３】異なる数のソフトキーを有する通信端末の待機モード画面を示す図。




【国際調査報告】
2005507625.tif 000056
2005507625.tif 000057
2005507625.tif 000058